(57)【特許請求の範囲】
【請求項１】
プロセッサによって実行されると、前記プロセッサに、
オンラインストアを実行することによって、デジタルコンテンツを使用する権利を顧客に販売し、
設備を識別する設備ＩＤの受領に基づいて、前記デジタルコンテンツを非破壊試験（ＮＤＴ）機器へ送信し、
オンラインストアを実行することによって、修正したデジタルコンテンツをオンライン販売するために、前記顧客から前記修正したデジタルコンテンツを受け取る
実行可能命令を含み、
前記ＮＤＴ機器は、ボアスコープ、パン・チルト・ズーム（ＰＴＺ）カメラ、超音波検査機器、Ｘ線検査機器、渦電流検査機器、または前記各機器の組み合わせを含み、
前記デジタルコンテンツは、前記ＮＤＴ機器によって実行され、前記ＮＤＴ機器が前記デジタルコンテンツに基づいて前記設備の検査を提供するように構成され、
前記デジタルコンテンツは、前記ＮＤＴ機器の機能をアップグレードするように構成されている、
非一時的コンピュータ可読媒体。
【請求項２】
前記オンラインストアは、前記デジタルコンテンツのライセンス管理を提供するように構成されている、請求項１に記載の非一時的コンピュータ可読媒体。
【請求項３】
前記ライセンス管理は、前記デジタルコンテンツを使用する前記権利についての１または複数のライセンスを前記顧客に販売することを含む、請求項２に記載の非一時的コンピュータ可読媒体。
【請求項４】
前記１または複数のライセンスは、使用ごとのライセンス、永久ライセンス、時間ベースのライセンス、従量ライセンス、または前記各ライセンスの組み合わせを含む、請求項３に記載の非一時的コンピュータ可読媒体。
【請求項５】
前記オンラインストアは、前記デジタルコンテンツを使用する前記権利を選別された顧客に販売するように構成された専用店舗、前記デジタルコンテンツの第１の部分を使用する第１の権利を一般顧客に販売し、前記デジタルコンテンツの第２の部分を使用する第２の権利を前記選別された顧客に販売するように構成された準専用店舗、または前記専用店舗と前記準専用店舗の組み合わせを含む、請求項１から４のいずれかに記載の非一時的コンピュータ可読媒体。
【請求項６】
前記オンラインストアは、前記デジタルコンテンツを使用する前記権利を選別されない顧客に販売するように構成された一般用店舗、輸出統制デジタルコンテンツを使用する前記権利を政府によって選別された顧客に販売するように構成された輸出統制店舗、または前記一般用店舗と前記輸出統制店舗の組み合わせを含む、請求項１から４のいずれかに記載の非一時的コンピュータ可読媒体。
【請求項７】
前記デジタルコンテンツは、ＮＤＴ機器マニュアル、規制文書、教育用プレゼンテーション、または前記ＮＤＴ機器マニュアル、前記規制文書、および前記教育用プレゼンテーションの組み合わせを含む、請求項１から６のいずれかに記載の非一時的コンピュータ可読媒体。
【請求項８】
前記実行可能コンテンツはファームウェアを含む、請求項１から７のいずれかに記載の非一時的コンピュータ可読媒体。
【請求項９】
前記オンラインストアはユーザ作成の店舗を含む、請求項１から８のいずれかに記載の非一時的コンピュータ可読媒体。
【請求項１０】
オンラインストアに通信可能に結合するように構成された非破壊試験（ＮＤＴ）機器を含むシステムであって、
前記ＮＤＴ機器は、ボアスコープ、パン・チルト・ズーム（ＰＴＺ）カメラ、超音波検査機器、Ｘ線検査機器、渦電流検査機器、または前記各機器の組み合わせを含み、
前記ＮＤＴ機器は、設備を識別する設備ＩＤの受領に基づいて、前記オンラインストアから、実行可能デジタルコンテンツ、非実行可能デジタルコンテンツ、または前記実行可能デジタルコンテンツと前記非実行可能デジタルコンテンツの組み合わせをダウンロードするように構成され、
前記デジタルコンテンツは、前記ダウンロードに基づいて前記設備の観測のために、前記ＮＤＴ機器の機能をアップグレードするように構成され、
前記ＮＤＴ機器は、前記設備の１つ以上の観測を導出するように構成されたセンサを備え、
前記オンラインストアは、修正したデジタルコンテンツをオンライン販売するために、前記顧客から前記修正したデジタルコンテンツを受け取るように構成されている、
システム。
【請求項１１】
前記ＮＤＴ機器は、前記ＮＤＴ機器を識別する識別子を送信するように構成されており、
前記オンラインストアは、前記識別子に基づいて前記ＮＤＴ機器へライセンスを送信するように構成されている、
請求項１０に記載のシステム。
【請求項１２】
前記ＮＤＴ機器は、前記ライセンスを使用して前記デジタルコンテンツの使用を可能にするように構成されたデジタル著作権管理（ＤＲＭ）システムを含む、
請求項１１に記載のシステム。
【請求項１３】
前記実行可能デジタルコンテンツは、前記ＮＤＴ機器上で実行されるように構成されたＮＤＴアプリケーション、前記ＮＤＴ機器をフラッシュするように構成されたファームウェア、または前記ＮＤＴアプリケーションと前記ファームウェアとの組み合わせを含む、請求項１０から１２のいずれかに記載のシステム。
【請求項１４】
オンラインストアで、デジタルコンテンツを使用する権利を顧客に販売するステップと、
設備を識別する設備ＩＤの受領に基づいて、前記デジタルコンテンツを非破壊試験（ＮＤＴ）機器へ送信するステップと、
前記ＮＤＴ機器が前記設備の検査を提供するように、前記デジタルコンテンツを実行するステップと、
前記デジタルコンテンツを実行することよって、前記ＮＤＴ機器に配置されたセンサによって、前記設備の観測を導出するステップであって、前記デジタルコンテンツは、前記ＮＤＴ機器の機能をアップグレードするように構成されている、ステップと、
前記オンラインストアで、前記顧客から修正したデジタルコンテンツを受け取るステップと、
前記オンラインストアで、前記修正したデジタルコンテンツを販売するステップと、
を含む、方法。
【請求項１５】
前記オンラインストアは、前記デジタルコンテンツのライセンス管理を提供するように構成されている、請求項１４に記載の方法。
【請求項１６】
前記ライセンス管理は、前記デジタルコンテンツを使用する前記権利についての１または複数のライセンスを前記顧客に販売することを含む、請求項１５に記載の方法。
【請求項１７】
前記１または複数のライセンスは、使用ごとのライセンス、永久ライセンス、時間ベースのライセンス、従量ライセンス、または前記各ライセンスの組み合わせを含む、請求項１６に記載の方法。
【請求項１８】
前記オンラインストアは、前記デジタルコンテンツを使用する前記権利を選別された顧客に販売するように構成された専用店舗、前記デジタルコンテンツの第１の部分を使用する第１の権利を一般顧客に販売し、前記デジタルコンテンツの第２の部分を使用する第２の権利を前記選別された顧客に販売するように構成された準専用店舗、前記デジタルコンテンツを使用する前記権利を選別されない顧客に販売するように構成された一般用店舗、輸出統制デジタルコンテンツを使用する前記権利を政府によって選別された顧客に販売するように構成された輸出統制店舗、または前記各店舗の組み合わせを含む、請求項１４から１７のいずれかに記載の方法。
【発明の詳細な説明】
【技術分野】
【０００１】
本明細書で開示される主題は、非破壊試験（ｎｏｎ−ｄｅｓｔｒｕｃｔｉｖｅ  ｔｅｓｔｉｎｇ（ＮＤＴ））システムに関し、詳細には、ＮＤＴエコシステムのためのシステムおよび方法に関する。
【背景技術】
【０００２】
発電の設備および施設、石油およびガスの設備および施設、航空機の設備および施設、製造の設備および施設などといったある種の設備および施設は、複数の相互に関連するシステム、およびプロセスを含む。例えば、発電プラントは、タービンシステムと、タービンシステムを稼働させ、維持するためのプロセスとを含み得る。同じく、石油事業およびガス事業も、パイプラインを介して相互接続された炭素質燃料回収システムと処理設備とを含み得る。同様に、航空機システムも、飛行機と、耐空性を維持し、整備支援を提供する際に有用な整備格納庫とを含み得る。設備稼働中に、設備は劣化し、おそらくは、設備の有効性全体に影響を及ぼす、腐食、摩耗、引裂などといった望ましくない条件に遭遇し得る。非破壊検査技術や非破壊試験（ＮＤＴ）技術といったいくつかの検査技術が、望ましくない設備条件を検出するのに使用され得る。
【０００３】
従来のＮＤＴシステムでは、データは、携帯用メモリデバイス、文書を用いて、または電話で、他のＮＤＴ操作者またはＮＤＴ要員と共有され得る。よって、ＮＤＴ要員間でデータを共有するための時間量は、物理的携帯用メモリデバイスがその対象者へ物理的に送付される速度に大きく依存し得る。したがって、例えば、様々なシステムおよび設備をより効率よく試験し、検査するために、ＮＤＴシステムのデータ共有機能を改善することが有益となるはずである。
【先行技術文献】
【特許文献】
【０００４】
【特許文献１】米国特許出願公開第２０１１／０１９７２８５号明細書
【発明の概要】
【０００５】
先の出願で特許請求された発明と範囲が対応するいくつかの実施形態を以下で要約する。これらの実施形態は、特許請求される発明の範囲を限定するためのものではなく、むしろ、これらの実施形態は、本発明の可能な形態の簡単な概要を提供するためのものにすぎない。実際、本発明は、以下に記載する実施形態と類似し、または異なり得る様々な形態を包含し得るものである。
【０００６】
一実施形態において、非一時的コンピュータ可読媒体は、プロセッサによって実行されると、プロセッサに、デジタルコンテンツのリポジトリを設けさせ、デジタルコンテンツを使用する権利を顧客に販売し、デジタルコンテンツを非破壊試験（ＮＤＴ）機器へ送信するように構成された店舗を設けさせる実行可能命令を含むことができ、デジタルコンテンツは、ＮＤＴ機器によって実行され、ＮＤＴ機器によって使用され、もしくはＮＤＴ機器上に表示され、またはＮＤＴ機器による実行、使用、および表示の組み合わせとして実行されるように構成されている。
【０００７】
別の実施形態において、システムは、オンラインストアに通信可能に結合するように構成された非破壊試験（ＮＤＴ）機器を含むことができ、ＮＤＴ機器は、オンラインストアから、実行可能デジタルコンテンツ、非実行可能デジタルコンテンツ、または実行可能デジタルコンテンツと非実行可能デジタルコンテンツの組み合わせをダウンロードするように構成されている。
【０００８】
さらに別の実施形態において、方法は、デジタルコンテンツのリポジトリを設けるステップを含み得る。方法は、デジタルコンテンツを使用する権利を顧客に販売するように構成された店舗を設けるステップと、デジタルコンテンツを非破壊試験（ＮＤＴ）機器へ送信するステップとをさらに含むことができ、デジタルコンテンツは、ＮＤＴ機器によって実行され、ＮＤＴ機器によって使用され、もしくはＮＤＴ機器上に表示され、またはＮＤＴ機器による実行、使用、および表示の組み合わせとして実行されるように構成されている。
【０００９】
本発明の上記その他の特徴、態様、および利点は、添付の図面を参照して以下の詳細な説明を読めば、より良く理解されるであろう。図面において、類似した符号は、図面全体を通して類似した部分を表す。
【図面の簡単な説明】
【００１０】
【図１】モバイル機器を含む、分散型非破壊試験（ＮＤＴ）システムの実施形態を示すブロック図である。
【図２】図１の分散型ＮＤＴシステムの実施形態のさらなる詳細を示すブロック図である。
【図３】図１のモバイル機器におよび「クラウド」に通信可能に結合されたボアスコープシステム１４の実施形態を示す正面図である。
【図４】図１のモバイル機器に通信可能に結合されたパン・チルト・ズーム（ｐａｎ−ｔｉｌｔ−ｚｏｏｍ（ＰＴＺ））カメラシステムの実施形態の図である。
【図５】分散型ＮＤＴシステムを、計画、検査、分析、報告、および検査データといったデータの共有に使用する際に有用なプロセスの実施形態を示す流れ図である。
【図６】無線コンジットを通る情報の流れの実施形態のブロック図である。
【図７】図１のＮＤＴ検査システムの遠隔制御に際して有用な情報の無線コンジットを通る情報の流れの実施形態のブロック図である。
【図８】ＮＤＴエコシステムの実施形態のブロック図である。
【図９】図８のＮＤＴエコシステムによって管理されるデジタルコンテンツの実施形態の図である。
【図１０】図８のＮＤＴエコシステムを使用してＮＤＴ品目を購入するためのプロセスの実施形態の流れ図である。
【図１１】図８のＮＤＴエコシステムを使用してライセンスを追加し、または取り消すためのプロセスの実施形態の流れ図である。
【図１２】図８のＮＤＴエコシステムを使用してＮＤＴ検査機器を同期させるためのプロセスの実施形態の流れ図である。
【図１３】図８のＮＤＴエコシステムを使用してＮＤＴ検査機器を管理するためのプロセスの実施形態の流れ図である。
【発明を実施するための形態】
【００１１】
以下で、１または複数の具体的実施形態を説明する。これらの実施形態の簡潔な説明の提供を図るべく、本明細書では実際の実装形態のすべての特徴が説明されるとは限らない。いかなるそうした実際の実装形態の開発においても、あらゆる工学プロジェクトまたは設計プロジェクトの場合と同様に、開発者の特定の目標を達成するためには、実装ごとに異なり得るシステム関連の制約条件および業務関連の制約条件の遵守といった、多数の実装別の判断が行われなければならないことを理解すべきである。さらに、そうした開発の取り組みは、複雑で時間を要するものともなり得るが、とは言え、そうした取り組みは、本開示の利益を享受する当業者にとっては、通常の設計、加工、および製造の業務となるはずであることも理解すべきである。
【００１２】
本発明の様々な実施形態の各要素を紹介する場合、冠詞の「ａ」、「ａｎ」、「ｔｈｅ」、および「ｓａｉｄ」は、それらの要素のうちの１または複数があることを意味するためのものである。「ｃｏｍｐｒｉｓｉｎｇ」、「ｉｎｃｌｕｄｉｎｇ」、および「ｈａｖｉｎｇ」という用語は、包含的であり、列挙される要素以外の追加要素があり得ることを意味するためのものである。
【００１３】
本開示の実施形態は、非破壊試験（ＮＤＴ）システムまたは非破壊検査システムを含む、様々な検査技術および試験技術に適用できる。ＮＤＴシステムでは、ボアスコープ検査、溶接検査、遠隔目視検査、Ｘ線検査、超音波検査、渦電流検査などといったいくつかの技術が、それだけに限らないが、腐食、設備の摩耗および引裂、割れ、漏れなどを含む様々な条件を分析し、検出するのに使用され得る。本明細書で説明する技術は、ボアスコープ検査、遠隔目視検査（例えば、遠隔操作される車両を用いた検査）、Ｘ線検査、超音波検査、および／または渦電流検査に適する改善されたＮＤＴシステムを提供し、データ収集、データ分析、データ記憶／アーカイビング、検査／試験プロセス、およびＮＤＴ協働技術の強化を可能にする。
【００１４】
本明細書で説明する改善されたＮＤＴシステムは、タブレット、スマートフォン、拡張現実眼鏡といったモバイル機器、ノートブック、ラップトップ、ワークステーション、パーソナルコンピュータといったコンピューティング機器、ならびに、クラウドベースのＮＤＴエコシステム、クラウド分析、クラウドベースの協働・ワークフローシステム、分散型コンピューティングシステム、エキスパートシステムおよび／または知識ベースシステムといった「クラウド」コンピューティングシステムに検査装置を通信可能に結合するのに適した有線コンジットまたは無線コンジットを使用する検査装置を含み得る。実際、本明細書で説明する技術は、強化されたデータ収集、分析、およびデータ配信を提供し、よって、望ましくない条件の検出を改善し、整備作業を強化し、施設および設備の投資収益率（ｒｅｔｕｒｎｓ  ｏｎ  ｉｎｖｅｓｔｍｅｎｔ（ＲＯＩ））を増大させる。
【００１５】
一実施形態では、タブレットが、米国ニューヨーク州スケネクタディのＧｅｎｅｒａｌ  Ｅｌｅｃｔｒｉｃ，Ｃｏ．から入手可能な、例えば、強化された無線表示機能、遠隔制御、データ分析および／またはＮＤＴ検査機器へのデータ通信を提供するのに使用される、ＭＥＮＴＯＲ（商標）ＮＤＴ検査機器といったＮＤＴ検査機器（例えば、ボアスコープ、可搬式パン・チルト・ズームカメラ、渦電流機器、Ｘ線検査機器、超音波検査機器）に通信可能に結合され得る。他のモバイル機器が使用されてもよいが、タブレットが、より大型で、より高解像度のディスプレイ、より強力な処理コア、容量の大きいメモリ、および改善された電池寿命を提供する限りにおいて、タブレットの使用が適切である。タブレット（または他の類似した機器）の使用は、利用可能なツールキットを用いた第三者開発も可能にする。例えば、タブレットによってデータを流すことによって、当該の同じプラットフォームまたはオペレーティングシステム（ｏｐｅｒａｔｉｎｇ  ｓｙｓｔｅｍ（ＯＳ））上で開発を行っている第三者開発者と情報を交換することが可能になる。したがって、タブレットは、データの視覚化の改善、検査機器の操作制御の改善、ならびに複数の外部システムおよび外部エンティティへの協働的共有の拡張の提供といった、いくつかの問題に対処し得る。
【００１６】
以上を踏まえて、本開示は、ＮＤＴシステムから取得されたデータの共有、ＮＤＴシステム内のアプリケーションおよび／または機器の制御、ならびにデータアーカイビング／データ記憶を対象とする。一般に、ＮＤＴシステムから生成されるデータは、本明細書で開示される技術を用いて様々な人々または人々のグループへ自動配信され得る。さらに、ＮＤＴシステム内の機器をモニタし、かつ／または制御するのに使用されるアプリケーションによって表示されるコンテンツは、ＮＤＴシステム内の機器をモニタし、制御するための仮想協働環境を作り出すように個人間で共有され得る。
【００１７】
前置きとして、次に図１を見ると、図１は、分散型ＮＤＴシステム１０の実施形態のブロック図である。図示の実施形態では、分散型ＮＤＴシステム１０は、１または複数のＮＤＴ検査機器１２を含み得る。ＮＤＴ検査機器１２は、少なくとも２つのカテゴリに分けられる。図１に示す１つのカテゴリでは、ＮＤＴ検査機器１２は、様々な設備および環境を目視で検査するのに適した機器を含み得る。以下で図２に関連してより詳細に説明する別のカテゴリでは、ＮＤＴ機器１２は、Ｘ線検査モダリティ、渦電流検査モダリティ、および／または超音波検査モダリティといった、目視検査モダリティの代替モダリティを備える機器を含み得る。
【００１８】
図１の図示の第１の例示的カテゴリでは、ＮＤＴ検査機器１２は、１または複数のプロセッサ１５およびメモリ１７を有するボアスコープ１４と、１または複数のプロセッサ１９およびメモリ２１を有する可搬式パン・チルト・ズーム（ＰＴＺ）カメラ１６とを含み得る。この第１の目視検査機器のカテゴリでは、ボアスコープ１４およびＰＴＺカメラ１６は、例えば、ターボ機械１８、および施設またはサイト２０を検査するのに使用され得る。図示のように、ボアスコープ１４およびＰＴＺカメラ１６は、やはり１または複数のプロセッサ２３およびメモリ２５を有するモバイル機器２２に通信可能に結合され得る。モバイル機器２２は、例えば、タブレット、携帯電話（例えばスマートフォン）、ノートブック、ラップトップ、あるいは任意の他のモバイルコンピューティング機器を含み得る。しかし、タブレットの使用が適切なのは、タブレットが、画面サイズ、重量、計算処理能力、および電池寿命の間で良好なバランスを備える限りにおいてである。したがって、一実施形態では、モバイル機器２２は、米国ニューヨーク州スケネクタディのＧｅｎｅｒａｌ  Ｅｌｅｃｔｒｉｃ，Ｃｏ．から入手可能な、タッチスクリーン入力を備える、上述のタブレットとすることができる。モバイル機器２２は、様々な無線コンジットや有線コンジットを介して、ボアスコープ１４および／またはＰＴＺカメラ１６といったＮＤＴ検査機器１２に通信可能に結合され得る。例えば、無線コンジットは、ＷｉＦｉ（例えば、ＩＥＥＥ［Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ］８０２．１１Ｘ）、セルラーコンジット（例えば、ＨＳＰＡ［ｈｉｇｈ  ｓｐｅｅｄ  ｐａｃｋｅｔ  ａｃｃｅｓｓ］、ＨＳＰＡ＋、ＬＴＥ［ｌｏｎｇ  ｔｅｒｍ  ｅｖｏｌｕｔｉｏｎ］、ＷｉＭＡＸ）、近距離通信（ｎｅａｒ  ｆｉｅｌｄ  ｃｏｍｍｕｎｉｃａｔｉｏｎｓ（ＮＦＣ））、Ｂｌｕｅｔｏｏｔｈ（登録商標）、ＰＡＮ（ｐｅｒｓｏｎａｌ  ａｒｅａ  ｎｅｔｗｏｒｋ）などを含み得る。無線コンジットは、ＴＣＰ／ＩＰ、ＵＤＰ、ＳＣＴＰ、ソケットレイヤなどといった様々な通信プロトコルを使用し得る。ある実施形態では、無線コンジットまたは有線コンジットは、セキュア・ソケット・レイヤ（ｓｅｃｕｒｅ  ｓｏｃｋｅｔ  ｌａｙｅｒｓ（ＳＳＬ））、仮想私設網（ｖｉｒｔｕａｌ  ｐｒｉｖａｔｅ  ｎｅｔｗｏｒｋ（ＶＰＮ））レイヤ、暗号化レイヤ、チャレンジキー認証レイヤ、トークン認証レイヤなどといった、セキュアなレイヤを含み得る。有線コンジットは、専有のケーブリング、ＲＪ４５ケーブリング、同軸ケーブル、光ファイバケーブルなどを含み得る。
【００１９】
加えて、または代替として、モバイル機器２２は、「クラウド」２４を介して、ボアスコープ１４および／またはＰＴＺカメラ１６といったＮＤＴ検査機器１２に通信可能に結合されてもよい。実際、モバイル機器２２は、それだけに限らないが、ＨＴＴＰ、ＨＴＴＰＳ、ＴＣＰ／ＩＰ、サービス指向アーキテクチャ（ｓｅｒｖｉｃｅ  ｏｒｉｅｎｔｅｄ  ａｒｃｈｉｔｅｃｔｕｒｅ（ＳＯＡ））プロトコル（例えば、簡易オブジェクト・アクセス・プロトコル（ｓｉｍｐｌｅ  ｏｂｊｅｃｔ  ａｃｃｅｓｓ  ｐｒｏｔｏｃｏｌ［ＳＯＡＰ］）、ウェブサービス記述言語（ｗｅｂ  ｓｅｒｖｉｃｅｓ  ｄｅｓｃｒｉｐｔｉｏｎ  ｌａｎｇｕａｇｅ（ＷＳＤＬ）））を含む、クラウド２４コンピューティング技術およびクラウド２４通信技術（例えば、クラウドコンピューティングネットワーク）を使用して、検査を受けようとしている物理的位置から離れた地理的位置を含む任意の地理的位置からＮＤＴ検査機器１２とインターフェースし得る。さらに、一実施形態では、モバイル機器２２は、モバイル機器２２が、その中で、ＮＤＴ検査機器１２をクラウド２４内の他のシステムに接続するのに適した無線アクセスポイント（ｗｉｒｅｌｅｓｓ  ａｃｃｅｓｓ  ｐｏｉｎｔ（ＷＡＰ））機能を提供する「ホットスポット」機能を提供し得る。したがって、マルチパーティワークフロー、データ収集、およびデータ分析を提供することによって、協働が強化され得る。
【００２０】
例えば、ボアスコープ操作者２６が、ある位置でボアスコープ１４を物理的に操作し、モバイル機器操作者２８が、モバイル機器２２を使用して、遠隔制御技術により第２の位置でボアスコープ１４とインターフェースし、ボアスコープ１４を物理的に操作してもよい。第２の位置は、第１の位置に近接していても、第１の位置から地理的に離れていてもよい。同じく、カメラ操作者３０が、第３の位置でＰＴＺカメラ１６を物理的に操作し、モバイル機器操作者２８が、モバイル機器２２を使用して、第４の位置でＰＴＺカメラ１６を遠隔制御してもよい。第４の位置は、第３の位置に近接していても、第３の位置から地理的に離れていてもよい。操作者２６および操作者３０によって行われるありとあらゆる制御動作は、さらに、モバイル機器２２を介して操作者２８によっても行われ得る。加えて、操作者２８は、ＶｏＩＰ（ｖｏｉｃｅ  ｏｖｅｒ  ＩＰ）、仮想ホワイトボード、テキストメッセージなどといった技術により、機器１４、機器１６、および機器２２を使用して、操作者２６および／または操作者３０と通信することもできる。操作者２８と操作者２６と操作者３０との間の遠隔協働技術を備えることにより、本明細書に記載される技術は、ワークフローを強化し、リソース効率を高めることができる。実際、非破壊試験のプロセスは、クラウド２４とモバイル機器２２、ＮＤＴ検査機器１２、およびクラウド２４に結合された外部システムとの通信結合を活用し得る。
【００２１】
ある動作モードにおいて、モバイル機器２２は、ボアスコープ操作者２６および／またはカメラ操作者３０によって、例えば、より大きい画面表示やより強力なデータ処理、ならびに、以下でより詳細に説明するように、モバイル機器２２によって提供される様々なインターフェース技術を活用するように操作され得る。実際、モバイル機器２２は、それぞれの操作者２６、３０によって、機器１４および機器１６と並行して、または連携して操作され得る。この強化された柔軟性は、人的資源を含むリソースのより適切な利用、および検査結果の改善を提供する。
【００２２】
操作者２８、操作者２６、および／または操作者３０のいずれによって制御されるにせよ、ボアスコープ１４および／またはＰＴＺカメラ１６は、多種多様な設備および施設を目視で検査するのに使用され得る。例えば、ボアスコープ１４は、ターボ機械１８の複数のボアスコープポートおよび他の位置へ挿入されて、ターボ機械１８のいくつかの構成要素の照明および目視観測を提供し得る。図示の実施形態では、ターボ機械１８は、炭素質燃料を機械動力に変換するのに適したガスタービンとして示されている。しかし、圧縮機、ポンプ、ターボエキスパンダ、風力タービン、水力タービン、産業機器、および／または住宅機器を含む、他の種類の設備が検査されてもよい。ターボ機械１８（例えばガスタービン）は、本明細書に記載されるＮＤＴ検査機器１２によって検査され得る様々な構成要素を含み得る。
【００２３】
以上を踏まえて、本明細書で開示される実施形態を使用して検査され得るいくつかのターボ機械１８構成要素を論じることは有益であろう。例えば、図１に示すターボ機械１８のいくつかの構成要素は、腐食、侵食、割れ、漏れ、溶接検査などについて検査され得る。ターボ機械１８といった機械系は、稼働状態の間に機械的応力および熱応力を受け、そのため、いくつかの構成要素の定期検査が必要となり得る。ターボ機械１８の稼働中に、天然ガスや合成ガスといった燃料がターボ機械１８へ送られ、１または複数の燃料ノズル３２を通して燃焼器３６へ送り込まれ得る。空気は、吸気部３８を通ってターボ機械１８へ入り、圧縮機３４によって圧縮され得る。圧縮機３４は、空気を圧縮する一連の段４０、４２、４４を含み得る。各段は、静翼４６と、圧縮空気を提供するために漸進的に圧力を増大させるように回転する動翼４８との１または複数のセットを含み得る。動翼４８は、シャフト５２に連結された回転ホイール５０に取り付けられ得る。圧縮機３４からの圧縮された排気は、ディフューザ部５６を経て圧縮機３４から排出され、燃料と混合するように燃焼器３６へ送られ得る。例えば、燃料ノズル３２は、燃料・空気混合物を、最適な燃焼、排気、燃料消費、および出力に適する比率で燃焼器３６へ注入し得る。ある実施形態では、ターボ機械１８は、環状配置として配置された複数の燃焼器３６を含み得る。各燃焼器３６は、熱い燃焼ガスをタービン５４へ送り込むことができる。
【００２４】
図示のように、タービン５４は、ケーシング７６に取り囲まれた３つの別々の段６０、６２、６４を含む。各段６０、６２、６４は、シャフト７４に取り付けられたそれぞれのロータホイール６８、７０、７２に結合された動翼またはバケット６６のセットを含む。熱い燃焼ガスが、タービン動翼６６の回転を引き起こすため、シャフト７４が回転して、圧縮機３４および任意の他の適切な負荷、例えば発電機を駆動する。最終的に、ターボ機械１８は、燃焼ガスを拡散させ、排気部８０から排出する。ノズル３２、吸気口３８、圧縮機３４、静翼４６、動翼４８、ホイール５０、シャフト５２、ディフューザ５６、各段６０、６２および６４、動翼６６、シャフト７４、ケーシング７６、および排気部８０といったタービン構成要素は、ＮＤＴ検査機器１２といった開示の実施形態を使用して、検査され、整備され得る。
【００２５】
加えて、または代替として、ＰＴＺカメラ１６が、ターボ機械１８の周囲、または内部の様々な位置に配置され、これらの位置の目視観測を得るのに使用されてもよい。ＰＴＺカメラ１６は、加えて、所望の位置を照明するのに適した１または複数のライトも含んでいてよく、様々な到達しにくい領域の周囲および領域内における観測を導出する際に有用な、以下で図４に関連してより詳細に説明するズーム、パン、およびチルトの技術をさらに含み得る。ボアスコープ１４および／またはカメラ１６は、加えて、石油およびガスの施設２０といった、施設２０を検査するのにも使用され得る。石油およびガスの設備８４といった様々な設備が、ボアスコープ１４および／またはＰＴＺカメラ１６を使用して目視で検査され得る。有利には、パイプまたはコンジットの内部８６、水中（または流体中）の位置８８、湾曲部または屈曲部を有する位置９０のような観測するのが難しい位置といった位置が、ボアスコープ１４および／またはＰＴＺカメラ１６により、モバイル機器２２を使用して目視で検査され得る。したがって、モバイル機器操作者２８は、設備１８、８４、および位置８６、８８、９０を、より安全に効率よく検査し、検査領域から地理的に離れた位置とリアルタイムで、またはほぼリアルタイムで観測を共有することができる。ファイバースコープ（例えば、屈曲式（ａｒｔｉｃｕｌａｔｉｎｇ）ファイバースコープ、非屈曲式ファイバースコープ）や、配管検査ロボットおよびクローラーロボットを含む、遠隔無人探査機（ｒｅｍｏｔｅｌｙ  ｏｐｅｒａｔｅｄ  ｖｅｈｉｃｌｅ（ＲＯＶ））といった他のＮＤＴ検査機器１２が、本明細書に記載される実施形態に使用されてもよいことを理解すべきである。
【００２６】
次に、図２を見ると、図２は、目視検査データの代替の検査データを提供することができるＮＤＴ検査機器１２の第２のカテゴリを示す、分散型ＮＤＴシステム１０の実施形態のブロック図である。例えば、ＮＤＴ検査機器１２の第２のカテゴリは、渦電流検査機器９２、超音波探傷器９４といった超音波検査機器、およびデジタルＸ線撮影機器９６といったＸ線検査機器を含み得る。渦電流検査機器９２は、１または複数のプロセッサ９３およびメモリ９５を含み得る。同じく、超音波探傷器９４も、１または複数のプロセッサ９７およびメモリ９９を含み得る。同様に、デジタルＸ線撮影機器９６も、１または複数のプロセッサ１０１およびメモリ１０３を含み得る。動作に際して、渦電流検査機器９２は、渦電流操作者９８によって操作され、超音波探傷器９４は、超音波機器操作者１００によって操作され、デジタルＸ線撮影機器９６は、Ｘ線撮影操作者１０２によって操作され得る。
【００２７】
図示のように、渦電流検査機器９２、超音波探傷器９４、およびデジタルＸ線撮影検査機器９６は、図１に関連して上述したコンジットを含む、有線コンジットまたは無線コンジットを使用してモバイル機器２２に通信可能に結合され得る。加えて、または代替として、各機器９２、９４、９６は、クラウド２４を使用してモバイル機器２２に結合されてもよく、例えば、ボアスコープ１４は、セルラー「ホットスポット」に接続され、ボアスコープによる検査および分析に際して、ホットスポットを使用して１または複数の熟練者に接続してもよい。加えて、または代替として、ＮＤＴ機器１２は、例えば、セルネットワークを介した通信に適したセルラー技術を含んでいてもよい。したがって、モバイル機器操作者２８は、モバイル機器２２を使用して各機器９２、９４、９６の動作の様々な側面を遠隔制御することができ、以下でより詳細に説明するように、音声（例えば、ＶｏＩＰ（ｖｏｉｃｅ  ｏｖｅｒ  ＩＰ））、データ共有（例えばホワイトボード）を介して各操作者９８、１００、１０２と協働し、データ分析、熟練者支援などを提供することができる。
【００２８】
したがって、航空機システム１０４や施設１０６といった様々な設備の目視観測を、Ｘ線観測モダリティ、超音波観測モダリティ、および／または渦電流観測モダリティを用いて強化することが可能となり得る。例えば、パイプ１０８の内部および壁が、腐食および／または侵食の有無について検査され得る。同じく、パイプ１０８の内側の障害物または望ましくない成長物も、機器９２、９４、および／または９６を使用して検出され得る。同様に、ある種の鉄系材料または非鉄系材料１１２の内側に配置された亀裂または割れ目１１０も観測され得る。加えて、構成要素１１６の内側に挿入された部品１１４の廃棄および存続性も検証され得る。実際、本明細書に記載される技術を使用すれば、設備および各構成要素１０４、１０８、１１２、１１６の検査の改善がなされ得る。例えば、モバイル機器２２は、各機器１４、１６、９２、９４、９６とインターフェースし、各機器１４、１６、９２、９４、９６を遠隔制御するのに使用され得る。
【００２９】
図３は、モバイル機器２２およびクラウド２４に結合されたボアスコープ１４の正面図である。したがって、ボアスコープ１４は、クラウド２４に接続された、またはクラウド２４内の任意の数の機器にデータを提供し得る。上述のように、モバイル機器２２は、ボアスコープ１４からデータを受信し、ボアスコープ１４を遠隔制御し、またはその両方を行うのに使用され得る。実際、本明細書に記載される技術は、例えば、それだけに限らないが、画像、ビデオ、および、温度、圧力、流量、隙間（例えば、固定された構成要素と回転する構成要素との間の測定）、距離の各測定値といったセンサ測定値を含む、ボアスコープ１４からモバイル機器２２への様々なデータの通信を可能にする。同じく、モバイル機器２２は、以下でより詳細に説明するように、制御命令、再プログラミング命令、構成命令なども伝達し得る。
【００３０】
図示のように、ボアスコープ１４は、ターボ機械１８、設備８４、パイプまたはコンジットの内側８６、水中の位置８８、湾曲部または屈曲部９０、航空機システム１０４の内側または外側の様々な位置、パイプ１０８の内部などといった様々な位置への挿入に適した挿入管１１８を含む。挿入管１１８は、先頭部１２０、屈曲部１２２、およびコンジット部１２４を含み得る。図示の実施形態では、先頭部１２０は、カメラ１２６、１または複数のライト１２８（例えばＬＥＤ）、およびセンサ１３０を含み得る。上述のように、ボアスコープのカメラ１２６は、検査に適した画像およびビデオを提供し得る。ライト１２８は、先頭部１２０が低光量を有する位置、もしくは暗い位置に配置される場合に照明を提供するために使用され得る。他の実施形態では、光ファイバを使用して、光源からボアスコープ１４のチップ１３６へ光が送られ得る。光源は、アーク灯、ハンドセット内のＬＥＤ、プローブチップ１３６へ送られるプローブポッド内のＬＥＤなどを含み得る。
【００３１】
使用中、屈曲部１２２は、例えば、モバイル機器２２および／またはボアスコープ１４上に配置された物理的ジョイスティック１３１によって制御され得る。屈曲部１２２は、様々な次元で操縦され、または「屈曲し」得る。例えば、屈曲部１２２は、図示のＸ軸Ｙ軸Ｚ軸１３３のＸ・Ｙ平面、Ｘ・Ｚ平面、および／またはＹ・Ｚ平面における先頭部１２０の移動を可能にし得る。実際、物理的ジョイスティック１３１および／またはモバイル機器２２は、どちらも、先頭部１２０を図示の角度αといった様々な角度に配置するのに適した制御動作を提供するために、単独で、または組み合わせて使用され得る。このように、ボアスコープ先頭部１２０は、所望の位置を目視検査するために位置決めされ得る。カメラ１２６は、その場合、例えば、ビデオ１３４を取り込むことができ、ビデオ１３４は、ボアスコープ１４の画面１３５およびモバイル機器２２の画面１３７において表示され、ボアスコープ１４および／またはモバイル機器２２によって記録され得る。一実施形態では、画面１３５および画面１３７は、静電容量技術、抵抗技術、赤外線グリッド技術などを使用して、スタイラスおよび／または１もしくは複数の人間の指のタッチを検出するマルチタッチスクリーンとすることができる。加えて、または代替として、画像およびビデオ１３４は、クラウド２４へ送信されてもよい。
【００３２】
それだけに限らないが、センサ１３０データを含む他のデータも、ボアスコープ１４によって、さらに伝達され、かつ／または記録され得る。センサ１３０データは、温度データ、距離データ、隙間データ（例えば、回転する構成要素と固定された構成要素との間の距離）、流量データなどを含み得る。ある実施形態では、ボアスコープ１４は、複数の交換用チップ１３６を含み得る。例えば、交換用チップ１３６は、スネア、磁気チップ、グリッパチップなどといった回収用チップを含み得る。交換用チップ１３６は、さらに、ワイヤブラシ、ワイヤカッタなどといった、クリーニングおよび障害物除去用ツールも含み得る。チップ１３６は、さらに、焦点距離、立体図、３次元（３Ｄ）位相図、陰影図などといった、異なる光学特性を有するチップも含み得る。加えて、または代替として、先頭部１２０は、取り外し可能、交換可能な先頭部１２０を含んでいてもよい。したがって、複数の先頭部１２０が、様々な直径で設けられてよく、挿入管１１８は、約１ｍｍから１０ｍｍ以上までの開口を有するいくつかの位置において配置され得る。実際、多種多様な設備および施設が検査されてよく、データは、モバイル機器２２および／またはクラウド２４を介して共有され得る。
【００３３】
図４は、モバイル機器２２とクラウド２４とに通信可能に結合された可搬式ＰＴＺカメラ１６の実施形態の斜視図である。上述のように、モバイル機器２２および／またはクラウド２４は、ＰＴＺカメラ１６を遠隔操作して、所望の設備および位置を見るようにＰＴＺカメラ１６を位置決めし得る。図示の例では、ＰＴＺカメラ１６は、上下に傾けられ、Ｙ軸を中心に回転され得る。例えば、ＰＴＺカメラ１６は、Ｙ軸を中心に、約０°から１８０°まで、約０°から２７０°まで、約０°から３６０°まで、またはそれ以上の範囲の角度βで回転され得る。同じく、ＰＴＺカメラ１６は、例えば、Ｙ軸に対して約０°から１００°まで、約０°から１２０°まで、約０°から１５０°まで、またはそれ以上の角度γで、Ｙ・Ｘ平面に関して上下に傾けられ得る。ライト１３８も、同様に、例えば、動作し、または動作を停止するように、また、照明のレベル（例えばルクス）を所望の値まで上げ、または下げるように制御され得る。また、ある対象物までの距離を測定するのに適した、レーザー距離計といったセンサ１４０もＰＴＺカメラ１６上に搭載されていてよい。長距離温度センサ（例えば赤外線温度センサ）、圧力センサ、流量センサ、隙間センサなどを含む他のセンサ１４０も使用され得る。
【００３４】
ＰＴＺカメラ１６は、例えば、シャフト１４２を使用して、所望の位置へ搬送され得る。シャフト１４２は、カメラ操作者３０が、カメラを動かし、例えば、位置８６、位置１０８の内側、水中８８、危険な（例えば危険物の）位置などへカメラを位置決めすることを可能にする。加えて、シャフト１４２は、シャフト１４２を永久マウントまたは半永久マウント上に取り付けることによって、ＰＴＺカメラ１６をより永久的に固定するのにも使用され得る。このように、ＰＴＺカメラ１６は、搬送され、かつ／または所望の位置で固定され得る。ＰＴＺカメラ１６は、次いで、例えば無線技術を使用して、画像データ、ビデオデータ、センサ１４０データなどを、モバイル機器２２および／またはクラウド２４へ送信し得る。したがって、ＰＴＺカメラ１６から受信されるデータは、所望の設備および施設のための動作の条件および適性を判定するために、リモートで分析され、使用され得る。実際、本明細書に記載される技術は、図５に関連して以下でより詳細に説明するように、上述の各機器１２、１４、１６、２２、９２、９４、９６、およびクラウド２４を使用して、計画し、検査し、分析し、かつ／または様々なデータを共有するのに適した包括的な検査および整備プロセスを提供し得る。
【００３５】
図５は、上述の各機器１２、１４、１６、２２、９２、９４、９６、およびクラウド２４を使用して、計画し、検査し、分析し、かつ／または様々なデータを共有するのに適したプロセス１５０の実施形態の流れ図である。実際、本明細書に記載される技術は、各機器１２、１４、１６、２２、９２、９４、９６を使用して、図示のプロセス１５０といったプロセスが、様々な設備をより効率よく支援し、整備することを可能とし得る。ある実施形態では、プロセス１５０またはプロセス１５０の部分は、メモリ１７、２１、２５、９５、９９、１０３といったメモリに記憶された非一時的コンピュータ可読媒体に含まれ、プロセッサ１５、１９、２３、９３、９７、１０１といった１もしくは複数のプロセッサによって実行され得る。
【００３６】
一例では、プロセス１５０は、検査作業および整備作業について計画（ブロック１５２）し得る。各機器１２、１４、１６、２２、９２、９４、９６を使用して取得されるデータ、ならびに、ターボ機械１８のフリートから、設備ユーザ（例えば航空機１０４サービス会社）および／または設備製造者から取得されるフリートデータ（例えば、燃料組成データ、流量データ、温度データ、固定構成要素と回転構成要素との隙間、振動データ、速度データ、および、より一般的には、センサデータ）といった他のデータが、整備作業および検査作業、機械のためのより効率のよい検査スケジュールを計画し（ブロック１５２）、より詳細な検査のためにある特定の領域にフラグを立てるなどに使用され得る。プロセス１５０は、次いで、所望の施設および設備（例えばターボ機械１８）のシングルモードまたはマルチモード検査（ブロック１５４）の使用を可能にし得る。上述のように、検査（ブロック１５４）は、ＮＤＴ検査機器１２（例えば、ボアスコープ１４、ＰＴＺカメラ１６、渦電流検査機器９２、超音波探傷器９４、デジタルＸ線撮影機器９６）のうちのいずれか１台または複数を使用して、１または複数の検査モード（例えば、目視、超音波、渦電流、Ｘ線）を提供し得る。図示の実施形態では、モバイル機器２２は、ＮＤＴ検査機器１２を遠隔制御し、ＮＤＴ検査機器１２によって伝達されたデータを分析し、本明細書でより詳細に説明するようにＮＤＴ検査機器１２に含まれない追加機能を提供し、ＮＤＴ検査機器１２からのデータを記録し、例えば、特に、メニュー方式の検査またはメニューに従う検査（ｕｓｉｎｇ  ｍｅｎｕ  ｄｒｉｖｅｎ  ｏｒ  ｍｅｎｕ  ｄｉｒｅｃｔｅｄ  ｉｎｓｐｅｃｔｉｏｎ（ＭＤＩ））技術を使用して、検査（ブロック１５４）を誘導するのに使用され得る。
【００３７】
次いで、検査（ブロック１５４）の結果が、例えば、ＮＤＴ機器１２を使用して、検査データをクラウド２４へ送信することによって、モバイル機器２２を使用して、またはそれらの組み合わせによって分析（ブロック１５６）され得る。分析は、施設および／または設備の残存寿命、摩耗および引裂、腐食、侵食などを決定する際に有用な工学的分析を含み得る。分析は、さらに、より効率のよい部品交換スケジュール、整備スケジュール、設備利用スケジュール、人員利用スケジュール、新検査スケジュールなどを提供するのに使用されるオペレーションズリサーチ（ｏｐｅｒａｔｉｏｎｓ  ｒｅｓｅａｒｃｈ（ＯＲ））分析も含み得る。分析（ブロック１５６）は、次いで、報告（ブロック１５８）され、その結果、クラウド２４において、またはクラウド２４を使用して作成される報告を含む、実行された検査および分析、ならびに得られた結果を詳述する１または複数の報告１５９が作成される。報告１５９は、次いで、例えば、クラウド２４、モバイル機器２２、および、ワークフロー共有技術といった他の技術を使用して、共有（ブロック１６０）され得る。一実施形態では、プロセス１５０は反復されてよく、よって、プロセス１５０は、報告１５９の共有（ブロック１６０）後に、計画（ブロック１５２）に戻って反復され得る。反復プロセス１５０として、分析（ブロック１５６）および報告（ブロック１５８）は、計画（ブロック１５２）に通知し得る。計画し、検査し、分析し、報告し、データを共有するために本明細書に記載される各機器（例えば、１２、１４、１６、２２、９２、９４、９６）を使用する際に有用な実施形態を提供することによって、本明細書に記載される技術は、施設２０、１０６および設備１８、１０４のより効率のよい検査および整備を可能とし得る。実際、図６に関連して以下でより詳細に説明するように、複数のカテゴリのデータの転送が提供され得る。
【００３８】
図６は、ＮＤＴ検査機器１２（例えば、機器１４、１６、９２、９４、９６）から発せられ、モバイル機器２２および／またはクラウド２４へ送信される様々なカテゴリのデータの流れの実施形態を示すデータフロー図である。上述のように、ＮＤＴ検査機器１２は、無線コンジット１６２を使用してデータを送信し得る。一実施形態では、無線コンジット１６２は、ＷｉＦｉ（例えば８０２．１１Ｘ）、セルラーコンジット（例えば、ＨＳＰＡ、ＨＳＰＡ＋、ＬＴＥ、ＷｉＭＡＸ）、ＮＦＣ、Ｂｌｕｅｔｏｏｔｈ（登録商標）、ＰＡＮなどを含み得る。無線コンジット１６２は、ＴＣＰ／ＩＰ、ＵＤＰ、ＳＣＴＰ、ソケットレイヤなどといった様々な通信プロトコルを使用し得る。ある実施形態では、無線コンジット１６２は、ＳＳＬ、ＶＰＮレイヤ、暗号化レイヤ、チャレンジキー認証レイヤ、トークン認証レイヤなどといった、セキュアなレイヤを含み得る。したがって、許可データ１６４を使用して、ＮＤＴ検査機器１２をモバイル機器２２および／またはクラウド２４へ対応付け、あるいはそれ以外に認証するのに適した任意の数の認証またはログイン情報が提供され得る。加えて、無線コンジット１６２は、例えば、現在利用可能な帯域幅および待ち時間に応じて、データを動的に圧縮してもよい。モバイル機器２２は、その場合、データを伸張して表示し得る。圧縮／伸張技術は、Ｈ．２６１、Ｈ．２６３、Ｈ．２６４、ＭＰＥＧ（ｍｏｖｉｎｇ  ｐｉｃｔｕｒｅ  ｅｘｐｅｒｔｓ  ｇｒｏｕｐ）、ＭＰＥＧ−１、ＭＰＥＧ−２、ＭＰＥＧ−３、ＭＰＥＧ−４、ＤｉｖＸなどを含み得る。
【００３９】
あるモダリティ（例えば目視モダリティ）では、ＮＤＴ検査機器１２のうちの一部または全部を使用して、画像およびビデオが伝達され得る。他のモダリティも、それぞれの画面に関連した、またはそれぞれの画面に含まれるビデオ、センサデータなどを送信し得る。ＮＤＴ検査機器１２は、画像の取り込みに加えて、画像上にある特定のデータをオーバーレイして、より有益な図を得ることもできる。例えば、ボアスコープ・チップ・マップがビデオ上にオーバーレイされ、操作者２６を誘導してボアスコープカメラ１２６をより正確に位置決めさせるように、挿入中にボアスコープチップの配置の近似を示してもよい。オーバーレイ・チップ・マップは、４象限を有するグリッドを含んでいてよく、チップ１３６配置は、４象限の内側の任意の部分または位置においてドットとして表示され得る。以下でより詳細に説明するように、測定オーバーレイ、メニューオーバーレイ、注釈オーバーレイ、および対象物識別オーバーレイを含む、様々なオーバーレイが提供され得る。画像およびビデオデータ、例えば、ビデオ１３４は、その場合、画像およびビデオデータの上に全体として表示されるオーバーレイと共に表示され得る。
【００４０】
一実施形態では、オーバーレイ、画像およびビデオデータは、画面１３５から「画面スクラップ」され、画面スクラップデータ１６６として伝達され得る。画面スクラップデータ１６６は、次いで、モバイル機器２２、およびクラウド２４に通信可能に結合された他の表示装置上に表示され得る。有利には、画面スクラップデータ１６６は、より簡単に表示され得る。実際、画素が画像またはビデオとオーバーレイの両方を同じフレームに含み得るため、モバイル機器２２は、単に、上述の画素を表示するだけでよい。しかし、画面スクラップデータを提供すると、画像とオーバーレイの両方がマージされるはずであり、２つ（以上）のデータストリームを分離した方が有益な場合もある。例えば、別々のデータストリーム（例えば画像またはビデオストリーム、オーバーレイストリーム）は、ほぼ同時に送信され、よって、より高速のデータ通信を提供し得る。加えて、各データストリームは、別々に分析され、よって、データの検査および分析が改善され得る。
【００４１】
したがって、一実施形態では、画像データおよびオーバーレイは、２つ以上のデータストリーム１６８、１７０に分離され得る。データストリーム１６８はオーバーレイのみを含み、データストリーム１７０は画像またはビデオを含み得る。一実施形態では、画像またはビデオ１７０は、同期信号１７２を使用してオーバーレイ１６８と同期され得る。例えば、同期信号は、データストリーム１７０のフレームを、オーバーレイストリーム１６８に含まれる１または複数のデータ項目と突き合わせるのに適したタイミングデータを含んでいてよい。さらに別の実施形態では、同期データ１７２が使用されなくてもよい。代わりに、各フレームまたは画像１７０は一意のＩＤを含み、この一意のＩＤは、オーバーレイデータ１６８のうちの１または複数と突き合わされ、オーバーレイデータ１６８と画像データ１７０を一緒に表示するのに使用され得る。
【００４２】
オーバーレイデータ１６８は、チップ・マップ・オーバーレイを含み得る。例えば、４つの四角形を有するグリッド（例えば象限グリッド）が、チップ１３６位置を表すドットまたは円と一緒に表示されてもよい。よって、このチップマップは、チップ１３６が対象物の内部にどのように挿入されているかを表し得る。第１象限（右上）は、チップ１３６が右上隅へ挿入されており、対象物を軸方向に見下ろしていることを表し、第２象限（左上）は、チップ１３６が左上隅へ挿入されており、軸方向に見下ろしていることを表し、第３象限（左下）は、チップ１３６が左下隅へ挿入されていることを表し、第４象限（右下）は、チップ１３６が右下隅へ挿入されていることを表し得る。したがって、ボアスコープ操作者２６は、チップ１３６の挿入をより容易に誘導することができる。一実施形態では、チップマップは、ｘ／ｙサーボ位置を用いてチップ１３６位置を指示し得る。例えば、プローブが平面上に配置されていた場合には、物理的ジョイスティックの「上方」を押すと、プローブ先頭が上方へ移動し、チップマップも、プローブが上方位置にあることを指示するはずである。これはすべて相対的なものである。というのは、資産（例えばガスタービン）の内部にある間に、プローブ自体は回転され、チップマップはこのことを理解していないかもしれないからである。
【００４３】
オーバーレイデータ１６８は、測定オーバーレイも含み得る。例えば、長さ、点から線まで、深さ、面積、マルチセグメントライン、距離、スキュー、サークルゲージといった測定が、ユーザが画像の上に１または複数の十字カーソル（例えば「＋」）をオーバーレイすることを可能にすることによって、提供され得る。一実施形態では、３次元位相測定、立体測定、および／または対象物上に影を投影することによる測定を含めて、対象物の内部の測定に適した、ステレオプローブ測定チップ１３６、またはシャドウプローブ測定チップ１３６が提供され得る。画像の上に複数のカーソルアイコン（例えば十字カーソル）を配置することによって、測定値は、立体技術を用いて導出され得る。例えば、２つのカーソルアイコンを配置すれば、直線の点間測定値（例えば長さ）が提供され得る。３つのカーソルアイコンを配置すれば、点から線までの垂直距離（例えば点から線まで）が提供され得る。４つのカーソルアイコンを配置すれば、（３つのカーソルを使用して導出された）面と、面の上方または下方の点（第４のカーソル）との間の垂直距離（例えば深さ）が提供され得る。ある特徴または欠陥の周りに３つ以上のカーソルを配置すれば、各カーソルの内側に含まれる面のおおよその面積が与えられ得る。３つ以上のカーソルを配置すれば、各カーソルがたどるマルチセグメントラインの長さの提供も可能となり得る。
【００４４】
同じく、影を投影することによって、照明および結果として得られる影に基づく測定値が導出され得る。したがって、測定領域を横切る影を位置決めし、次いで、所望の測定値の最も離れた点において、影の可能な限り近くに２つのカーソルを配置すれば、点間の距離が導出され得ることになる。測定領域を横切る影を配置し、次いで、水平方向の影のおおよそ中心に対して、所望の測定領域の縁部（例えば照明された縁部）にカーソルを配置すれば、通常は、プローブ視野に対して垂直ではない面上の直線（点間）測定値として定義されるスキュー測定値がもたらされ得る。これは、縦方向の影が得られない場合に有用となり得る。
【００４５】
同様に、測定領域を横切る影を位置決めし、次いで、凸面に１つのカーソルを配置し、凹面に第２のカーソルを配置すれば、深さ、または面とその面の上方または下方の点との距離がもたらされ得る。影を測定領域の近くに位置決めし、次いで、円（例えば、ユーザ選択可能な直径の円カーソル、サークルゲージともいう）を影の近くの、欠陥の上に配置すれば、その欠陥のおおよその直径、外周、および／または面積が導出され得る。３次元位相測定は、１つのプローブチップ１３６を使用して３次元サーフェススキャンを提供することによって得られ、チップ交換は使用されなくてよい。実際、この３次元位相測定は、測定値を取り込むためにプローブチップを交換する必要を無くすことにより、より正確な測定値を「オンデマンドで」提供することができ、検査プロセスを簡素化する。
【００４６】
オーバーレイデータ１６８は、注釈データも含み得る。例えば、「表面割れ」といったある特徴に注釈を付けるために、画像の上に、テキストおよびグラフィックス（例えば、矢印ポインタ、十字、幾何学的形状）がオーバーレイされてもよい。加えて、オーディオもＮＤＴ検査機器１２によって取り込まれ、オーディオオーバーレイとして提供され得る。例えば、音声注釈、検査を受ける設備の音などが、画像またはビデオの上にオーディオとしてオーバーレイされ得る。モバイル機器２２および／またはクラウド２４によって受信されたオーバーレイデータ１６８は、次いで、様々な技術によってレンダリングされ得る。例えば、ＨＴＭＬ５または他のマークアップ言語を使用してオーバーレイデータ１６８が表示されてもよい。一実施形態では、モバイル機器２２および／またはクラウド２４は、ＮＤＴ機器１２によって提供される第２のユーザインターフェースと異なる第１のユーザインターフェースを提供し得る。したがって、オーバーレイデータ１６８は、簡素化され、基本情報だけを送信し得る。例えば、チップマップの場合には、オーバーレイデータ１６８は、単に、チップの位置と相関関係を有するＸおよびＹのデータを含むだけでよく、第１のユーザインターフェースは、その場合、ＸおよびＹのデータを使用して、グリッド上でチップを視覚的に表示し得る。
【００４７】
加えて、センサデータ１７４も伝達され得る。例えば、センサ１２６、センサ１４０からのデータ、およびＸ線センサデータ、渦電流センサデータなどが伝達され得る。ある実施形態では、センサデータ１７４は、オーバーレイデータ１６８と同期されてよく、例えば、オーバーレイ・チップ・マップが、温度情報、圧力情報、流量情報、隙間などと並べて表示されてよい。同じく、センサデータ１７４は、画像またはビデオデータ１７０と並べて表示されてもよい。
【００４８】
ある実施形態では、力フィードバックデータまたは触覚フィードバックデータ１７６が伝達され得る。力フィードバックデータ１７６は、例えば、構造体に隣接し、または接触するボアスコープ１４チップ１３６に関連したデータ、チップ１３６または振動センサ１２６によって感知された振動、流量、温度、隙間、圧力などに関連した力などを含み得る。モバイル機器２２は、例えば、流体で満たされたマイクロチャネルを有する触感層（ｔａｃｔｉｌｅ  ｌａｙｅｒ）含んでいてよく、触感層は、力フィードバックデータ１７６に基づき、流体圧力を変更し、かつ／または応答して流体を方向転換し得る。実際、本明細書に記載される技術は、センサデータ１７４およびコンジット１６２内の他のデータを触感力として表すのに適した、モバイル機器２２によって作動される応答を提供し得る。
【００４９】
ＮＤＴ機器１２は、加えて、位置データ１７８を伝達することもできる。例えば、位置データ１７８は、設備１８、１０４、および／または施設２０、１０６に関連したＮＤＴ機器１２の位置を含み得る。例えば、屋内ＧＰＳ、ＲＦＩＤ、三角測量（例えば、ＷｉＦｉ三角測量、無線三角測量）といった技術を使用して、機器１２の位置１７８が決定され得る。対象物データ１８０は、検査対象の対象物に関連したデータを含み得る。例えば、対象物データ１８０は、識別情報（例えば通し番号）、設備条件に関する観測、注釈（テキスト注釈、音声注釈）などを含み得る。他の種類のデータ１８２も使用されてよく、他の種類のデータ１８２は、それだけに限らないが、テキスト注釈およびメタデータとして適用され得る事前定義された「タグ」のセットを提供する、メニュー方式の検査またはメニューに従う検査を含む。これらのタグは、検査を受けている対象物に関連した位置情報（例えば第１段ＨＰ圧縮機）または指示（例えば異物損傷）を含み得る。他のデータ１８２は、さらに、リモート・ファイル・システム・データも含んでいてよく、リモート・ファイル・システム・データにおいて、モバイル機器２２は、ＮＤＴ検査機器１２のメモリ２５に位置する、またはＳＤ（ｓｅｃｕｒｅ  ｄｉｇｉｔａｌ）カード、サムドライブ、ＵＳＢハードドライブなどといった、ＮＤＴ機器１２に結合された、またはＮＤＴ機器１２内に配置された媒体に位置するデータのファイルおよびファイル構造（例えば、フォルダ、サブフォルダ）を表示し、操作することができる。したがって、ファイルは、モバイル機器２２およびクラウド２４へ転送され、編集され、メモリ２５へ送り返され得る。データ１６４〜１８２をモバイル機器２２およびクラウド２４へ伝達することにより、本明細書に記載される技術は、より高速でより効率のよいプロセス１５０を可能とし得る。実際、図７〜図１０に関連して以下でより詳細に説明するように、複数のカテゴリのデータの転送が提供され得る。
【００５０】
次に図７を見ると、図７は、モバイル機器２２、クラウド２４内の機器、および／またはクラウド２４に通信可能に結合された機器（例えば、コンピューティングシステム２９）から発せられ、例えば、ＮＤＴ検査機器１２（例えば、ボアスコープ１４、ＰＴＺカメラ１６、渦電流検査機器９２、超音波探傷器９４、デジタルＸ線撮影機器９６）へ向けられる様々なカテゴリのデータの流れの実施形態を示すデータフロー図である。そうしたデータは、ＮＤＴ機器を制御するのに適した制御データを含み得る。本明細書に記載されるように、ＮＤＴ検査機器１２の制御は、以下でより詳細に説明するように、ボアスコープ１４の屈曲部１２２、ＰＴＺカメラ１６のパン、チルト、およびズームに使用される装置といった位置決め装置の制御と、ＮＤＴ機器１２内のファイルシステム、ＮＤＴ機器１２に含まれる（１または複数の）画面、およびＮＤＴ機器１２を操作し、または構成するのに使用されるパラメータの設定の遠隔制御の両方を含む。
【００５１】
図示の実施形態では、無線コンジット２００を使用してデータ（例えば制御データ）がＮＤＴ機器１２へ伝達され得る。コンジット１６２と同様に、無線コンジット２００は、ある実施形態では、ＷｉＦｉ（例えば、８０２．１１Ｘ）、セルラーコンジット（例えば、ＨＳＰＡ、ＨＳＰＡ＋、ＬＴＥ、ＷｉＭＡＸ）、ＮＦＣ、Ｂｌｕｅｔｏｏｔｈ（登録商標）、ＰＡＮなどを含み得る。無線コンジット２００は、ＴＣＰ／ＩＰ、ＵＤＰ、ＳＣＴＰ、ソケットレイヤなどといった様々な通信プロトコルを使用し得る。ある実施形態では、無線コンジット２００は、ＳＳＬ、ＶＰＮレイヤ、暗号化レイヤ、チャレンジキー認証レイヤ、トークン認証レイヤなどといった、セキュアなレイヤを含み得る。他の実施形態では、無線コンジット１６２、２００の代替として、または無線コンジット１６２、２００の代わりに、有線コンジットが使用されてもよいことに留意すべきである。
【００５２】
許可データ２０２が伝達され、例えば、許可データ１６４と併せて、ＮＤＴ機器１２へのセキュアなアクセスを可能にするのに使用され得る。様々なセキュアな認証技術が使用されてよく、これらの技術は、それだけに限らないが、ログイン／パスワードの組み合わせ、セキュアなＭＡＣアドレスのリストを維持すること、機器１２、２２、およびクラウド２４のうちの２つ以上の間でのチャレンジ・応答認証、セキュアなＮＦＣ認証、（例えば、証明書認証、鍵交換認証を使用した）第三者認証サーバの使用などを含む。
【００５３】
加えて、ＮＤＴ機器１２の構成要素を動かし、またはそれ以外に位置決めするのに有用な位置制御データ２０４も伝達され得る。実際、ＮＤＴ機器１２のある種の構成要素は、例えば、仮想ジョイスティックを使用してリモートで物理的に動かされ得る。任意の数のシステム（例えば、モバイル機器２２、コンピューティングシステム２９、ウェブベースの仮想コントローラ）、例えば、ローカルで（例えば、ＷｉＦｉ、Ｂｌｕｅｔｏｏｔｈ（登録商標））、かつ／またはクラウド２４を介してＮＤＴ機器１２に接続された機器が、データ２０４をリモートで伝達するのに使用され、ＮＤＴ機器１２の構成要素をリモートで位置決めするのに使用され得る。
【００５４】
有利には、様々な遠隔操作、訓練、および協働が可能とされ得る。例えば、熟練した操作者が、新しいボアスコープ操作者をオン・ザ・ジョブで訓練してもよい。新しいボアスコープ操作者は、ボアスコープ１４を握り、熟練した操作者がモバイル機器２２を使用してボアスコープ１４を制御する間、観察することができる。熟練した操作者は、その際、チップ制御技術を示したり、どんな種類の観測が腐食と相関関係を有するか述べたり、どのようにして注釈を加えるか示したりし得る。他の場合には、熟練した操作者は、異なる地理的位置に位置していてよく、ＶｏＩＰ、ホワイトボードなどを使用して新しいボアスコープ操作者と協働し、かつ／もしくは新しいボアスコープ操作者を訓練し、またはモバイル機器２２を使用してリモートで完全な検査を実行し得る。別の訓練例では、新しいボアスコープ操作者は、モバイル機器２２および／またはボアスコープ１４を使用しながら、ウェブベースの位置といった離れた位置から訓練を受けてもよい。例えば、モバイル機器２２の画面１３７は、ある表示領域はボアスコープ１４の画像またはビデオを示し、第２の表示領域は訓練用ビデオを示し、第３の領域は、無線で入手されたオンライン設備マニュアルを示すように、複数の表示領域（例えば「分割画面」）へ分割され得る。実際、ボアスコープ１４は、外部ソース（例えば、モバイル機器２２、クラウド２４、コンピューティングシステム２９）からの対象とされるマルチメディア検査データを含むデータを受信し得る。
【００５５】
加えて、微調整データ２０６も伝達され得る。例えば、微調整データ２０６は、ボアスコープの屈曲部１２２および／またはＰＴＺカメラ１６を、位置制御データ２０４よりも小さい増分で動かすのに適する「寸動（ｊｏｇｇｉｎｇ）」データを含み得る。より具体的には、微調整データ２０６は、動かすべき刻み（例えば、０．５ｍｍ、０．０５ｍｍから１ｃｍまでの間、またはそれ以上）、および動かすべき刻みの数（例えば、１、２、３、４、５、またはそれ以上）を含み得る。したがって、ＮＤＴ機器１２の構成要素は、検査を受けているある特定の特徴をより良く観測できるように、より正確に配置され得る。位置制御データ２０４および微調整データ２０６は、ＮＤＴ機器１２に通信可能に接続された仮想コントローラまたは物理的コントローラによって生成され得る。
【００５６】
加えて、画像、ビデオ、テキスト、および／またはオーディオデータ２０８も伝達され得る。例えば、モバイル機器２２、クラウド２４、および／またはクラウドに結合された機器（例えば、コンピューティングシステム２９）は、画像および／またはビデオを送信すると共に、ボアスコープ操作者に対して、さらに検査すべきある特定の特徴を、検査をどのように進めるべきかを詳細に説明するオーディオと一緒に示す際に有用な注釈をオーバーレイすることができる。ある実施形態では、データ２０８は、検査手順を詳述する際に有用な訓練データとし得る。他の実施形態では、データ２０８は、ある設備をより十分に検査するにはどうすべきかに関する指示を詳述する、熟練者から送信されたデータを含み得る。さらに別の実施形態では、データ２０８は、図６からの受信データの自動分析後に検査を方向付け、かつ／または検査の的を絞る際に有用な、受信データに基づいて自動化エンティティ（例えば、エキスパートシステム、ファジー論理システム、ニューラル・ネットワーク・システム、状態ベクトル機械）を介して送られたデータを含み得る。
【００５７】
また、構成データ２１０も伝達され得る。例えば、ＮＤＴ機器１２に含まれるファイルシステムを更新し、ＮＤＴ機器１２を再プログラムし、ＮＤＴ機器１２を操作する際に有用なパラメータを設定し、かつ／または機器１２の電子構成要素を再構成（例えばフラッシュアップグレード）するのに使用されるデータが、ＮＤＴ検査機器１２へリモートで送信され得る。実際、プログラミングおよびパラメータ設定がリモートで行われてよく、よって、ＮＤＴ機器をより容易に最新に保ち、機器動作を改善するための技術が提供される。異なるＮＤＴ機器１２は異なるパラメータセットを使用し得ることを理解すべきである。非限定的な例として挙げるにすぎないが、例えば、ＮＤＴ機器１２の動作時に使用され、ＮＤＴ機器１２を遠隔操作するのに有用ないくつかのパラメータには、データの取得を開始するためのパラメータ、データの取得を停止するためのパラメータ、ファイルを保存するためのパラメータ、ファイルに名前をつけ、もしくはファイルの名前を変更するためのパラメータ、利得を調整するためのパラメータ、時間基準を調整するためのパラメータ、渦電流検査時にリフトオフ相殺信号を補償するためのパラメータ、相回転を調整するためのパラメータ、持続性を調整するためのパラメータ、プローブのバランスを保つためのパラメータ、ゲートを調整（例えば、振幅調整、位置調整）するためのパラメータ、カラーパレット−ソフトゲインを調整するためのパラメータ、信号整流を変更するためのパラメータ、パルサフィルタを変更するためのパラメータ、ズームイン、ズームアウトするためのパラメータ、パルス幅を調整するためのパラメータ、データフィルタ（例えば帯域幅）を調整するためのパラメータ、パルス繰返し周波数を調整するためのパラメータ、スイープ角度開始／停止を調整するためのパラメータ、スイープ角度増分を調整するためのパラメータ、チャネルをオン／オフにするためのパラメータ、データを凍結するためのパラメータ、データをクリア／消去するためパラメータ、スパンを調整するためのパラメータ、フィルタを調整するためのパラメータ、スポット位置を変更するためのパラメータ、表示の種類（例えば、スポット表示、時間基準表示、ウォーターフォール表示）を変更するためのパラメータ、および／またはチャネルビューを変更するためのパラメータが含まれ得る。
【００５８】
一実施形態では、特に、仮想ネットワークコンピューティング（（ｖｉｒｔｕａｌ  ｎｅｔｗｏｒｋ  ｃｏｍｐｕｔｉｎｇ（ＶＮＣ））、リモート・デスクトップ・プロトコル（ｒｅｍｏｔｅ  ｄｅｓｋｔｏｐ  ｐｒｏｔｏｃｏｌ（ＲＤＰ））、デスクトップ共有といったクライアントサーバ技術が、構成データ２１０を送信し、ＮＤＴ機器１２の画面制御と相関関係を有するデータを受信するのに使用され得る。同じく、セキュアＦＴＰ（ｆｉｌｅ  ｔｒａｎｓｆｅｒ  ｐｒｏｔｏｃｏｌ）、ＳＳＨ（ｆｔｐ  ｏｖｅｒ  ｓｅｃｕｒｅ  ｓｈｅｌｌ）、ＲＦＳ（ｒｅｍｏｔｅ  ｆｉｌｅ  ｓｈａｒｉｎｇ）、および／または（例えば、クラウド２４を使用して、ＮＤＴ機器１２を介してファイルを記憶し、検索する）分散ファイルシステムといった技術を使用するリモート・ファイル・システム制御も提供され得る。ファイルは、追加され、名前を変更され、削除され、かつ／または更新され得る。同じく、ファイルフォルダおよび他のファイル記憶構造も、同様に名前を変更され、削除され、かつ／または更新され得る。
【００５９】
加えて、力フィードバックデータ２１２も伝達され得る。例えば、モバイル機器２２のタッチスクリーンをさらに力強く押すと、ボアスコープの屈曲部１２２をより速く動かすのに有用なデータ２１２に変換され得る。同じく、触覚コントローラが、コンピューティングシステム２９に結合され、力フィードバックを提供してもよい。より多くの力が加わるほど、ボアスコープ１４の屈曲部１２２といった構成要素の相関運動がより速くなる。力フィードバックデータ２１２は、物理的ジョイスティック１３１、仮想ジョイスティック、クラウド２４または（例えば、モバイル機器２２がＷＡＰ機能を提供している場合に）モバイル機器２２を介して結合されたコントローラを含む、ＮＤＴ機器１２に無線で結合された触覚コントローラといった他の機器によって提供されてもよいことに留意すべきである。他のデータ２１４は、ＮＤＴ機器１２を操作する際に有用なデジタルマニュアルまたはヘルプマニュアル、検査を受けている設備（例えば、ターボ機械１８、航空機１０４）に関連するマニュアルなどを含み得る。したがって、無線コンジット２００は、それだけに限らないが、測定情報（カーソル配置、測定値、ステレオマッチ）、ＭＤＩ情報（現在の段、資産情報、参考資料）、現在のメニュー選択、チップの温度／圧力、チップの向き（チップマップ、人工水平）、３次元位相測定（３ＤＰＭ）範囲指示、テキスト注釈などを含むボアスコープ固有の情報といった、ＮＤＴ機器１２情報を伝達し、また、変更し、またはそれ以外に改変するのに使用され得るはずである。ソフトウェア制御アプリケーションは、以下でより詳細に説明するように、タッチスクリーンボタンまたはソフトウェアキーラベルを備えるネイティブなグラフィックスをレンダリングし、適切な場合には、ユーザ入力を受け入れることができる。固定機能または動的機能を有するハードウェアの物理的ボタンも、入力を受け入れるのに使用することができる。ＮＤＴ機器１２は、ＮＤＴ機器１２が第２のエンティティによって使用されるのと同時に第１のエンティティ（または複数のリモートエンティティ）によって制御され得ることに留意すべきである。実際、本明細書に記載される制御実施形態は、複数のリモートパーティを含む複数の当事者が同時に機器を制御することを可能にする。図８は、例えば、ＮＤＴ機器１２、モバイル機器２２、コンピューティングシステム２９、資産所有者３０２、検査ソリューション提供者／設備製造者３０４、規制エンティティ３０６、他のエンティティ３０８、資産ＯＥＭ（相手先商標製造者）３１０、資産検査提供者３１２、および／またはアプリケーション開発者３１４の間の協働環境を提供する際に有用なＮＤＴエコシステム３００の実施形態を示している。ＮＤＴエコシステム３００、またはＮＤＴエコシステム３００の各部分は、メモリ３１６に記憶され、プロセッサ３１８によって実行される実行可能コンピュータ命令によって実装され得る。メモリ３１６およびプロセッサ３１８は、それだけに限らないが、コンピューティングサーバ、仮想機械、負荷分散されたコンピューティング機器などを含む、クラウド２４内の、またはクラウド２４に接続されたシステムに含まれ得る。
【００６０】
図示の実施形態では、資産所有者３０２は、ターボ機械１８、航空機１０４、および／または施設２０、１０６といった設備および施設資産の所有者または賃借人を含み得る。検査ソリューション提供者３０４は、検査１５４を含む、プロセス１５０またはプロセス１５０の構成要素を実行する際に有用なソフトウェアおよびハードウェア（例えば、ＮＤＴ機器１２といった製造者設備）を開発する企業またはエンティティを含み得る。規制エンティティ３０６は、プロセス１５０の全部または部分を規制する州政府機関または連邦政府機関を含み得る。他のエンティティ３０８は、接続サービス（例えば、有線接続および／または無線接続）、バックエンド・コンピューティング・サービス（例えば、クラウドベースのコンピュータ処理サービス、グリッド・コンピューティング・サービス、クラスタ・コンピューティング・サービス、スパーコンピューティングサービス、および／またはクラウドベースの記憶サービス）を提供するエンティティといった、クラウド・コンピューティング・サービス２４を提供するエンティティを含み得る。資産ＯＥＭ３１０は、上述の設備および施設資産の製造者を含む。資産検査提供者３１２は、例えば、検査１５４で使用される人員および設備を提供するエンティティを含む。
【００６１】
アプリケーション開発者３１４は、コンピュータ実行可能コンテンツ３２２（例えば、モバイルアプリケーション、ウェブアプリケーション、デスクトップアプリケーション、デバイスドライバ、ファームウェア、構成ファイル、および構成関連ファイル）ならびに／または非実行可能コンテンツ３２４（例えば、設備マニュアル、検査手順、訓練手順、規制文書、規制手順、オーディオ、ビデオ、テキスト、マルチメディア、対話式コンピュータシミュレーションなど）を含む、デジタルコンテンツ３２０を書き込むことができる、それだけに限らないが上述のエンティティ３０２、３０４、３０６、３０８、３１０、３１２を含む、任意のエンティティを含む。デジタルコンテンツは、ＮＤＴエコシステム３００に含まれるリポジトリ（例えばデータベース）に記憶され、各機器１２、２２、および／または２９によって使用され、実行され、かつ／または表示され得る。加えて、または代替として、デジタルコンテンツ３２０は、クラウド２４に（またはクラウド２４に結合されたシステムに）置かれてもよく、機器１２は、クラウド２４内の（またはクラウド２４に結合されたシステム内の）デジタルコンテンツ３２０を使用し得る。すなわち、デジタルコンテンツ３２０はクラウド２４内に置くことができ、ＮＤＴ機器１２は、クラウド２４を使用して、コンテンツ３２０に接続し、コンテンツ３２０を実行し、表示し、またはそれ以外に使用し得る。アプリケーションは、ＮＤＴ機器１２、モバイル機器２２、コンピューティングシステム２９によって実行可能なアプリケーション、クラウド２４において実行可能アプリケーション、またはそれらの組み合わせを含み得る。同じく、非実行可能コンテンツ３２４も、ＮＤＴ機器１２、モバイル機器２２、およびコンピューティングシステム２９を使用して表示可能とし得る。したがって、ＮＤＴエコシステム３００を使用した協働は、ＮＤＴデジタルコンテンツ３２０についてのアイディアの発端、およびＮＤＴデジタルコンテンツ３２０の作成、配布、購入、管理、および収益分配を伴い得る。
【００６２】
例えば、検査ソリューション提供者３０４は、デジタルコンテンツ３２０（例えばアプリケーション）およびデジタルコンテンツ３２０をサポートするためのハードウェアソリューションを作成し得る。アプリケーション（および他のデジタルコンテンツ３２０）は、以下でより詳細に説明する、デジタル・コンテンツ・ビルダー３２５を使用して作成され、試験され得る。アプリケーションは、その場合、計画１５２、検査１５４、分析１５６、報告１５８、および／または共有１６０を含むプロセス１５０をサポートするために、ＮＤＴ機器１２、モバイル機器２２、および／またはコンピューティングシステム２９上で実行され得る。デジタルコンテンツ３２０は、アプリケーションを含めて、各エンティティ３０２、３０４、３０６、３０８、３１０、３１２、３１４のいずれか、第三者などによって構築され、例えば、デジタル・コンテンツ・ストア３２６を使用して配信され得ることに留意すべきである。デジタル・コンテンツ・ストア３２６は、一般用店舗３２８、専用店舗３３０、および他の店舗３３２を含み得る。一般用店舗３２８は、あらゆるエンティティ３０２、３０４、３０６、３０８、３１０、３１２、３１４がアクセス可能な店舗を含んでいてよく、専用店舗３３０は、各エンティティ３０２、３０４、３０６、３０８、３１０、３１２、３１４の各々の一部のみが、また、すべてのエンティティ３０２、３０４、３０６、３０８、３１０、３１２、３１４の一部のみ（例えば、店舗作成者によって選別されたエンティティその他）がアクセス可能な店舗を含み得る。他の店舗３３２は、ある特定の品目が一般向けに販売され、他の品目が選別された顧客だけに販売されるハイブリッドストア（例えば、準専用店舗）を含み得る。例えば、すべての一般向けコンテンツが販売され、あるエンティティがアクセス権を付与されているある特定の専用コンテンツも販売され得る。加えて、または代替として、他の店舗３３２は、輸出統制品目といった、政府によって制限されている品目を売買するための政府承認を受けているエンティティにサービス提供する店舗を含んでいてもよい。様々な専門知識を有するエンティティによる様々なデジタルコンテンツ３２０の作成および配信を提供することによって、ＮＤＴエコシステム３００は、協働の強化およびより効率のよいプロセス１５０を提供し得る。
【００６３】
図８を続けて、加えて、デジタルコンテンツ３２０は、アプリケーション・プログラミング・インターフェース（ＡＰＩ）、データ分析サービスへのインターフェース、ハードウェアインターフェース（例えば、ＮＤＴ機器１２のハードウェアへのソフトウェアインターフェース）などといった、ある特定のプラットフォームの機能も含み得る。代替として、または加えて、類似したプラットフォーム機能が、他のシステム３３６によって提供され、データ記憶サービスやデータ分析サービスといったサービスを提供するのに使用されてもよい。また、検査ソリューション提供者３０４は、ソフトウェアを使用して、またはある特定のハードウェア（例えば、ＮＤＴ機器１２の以前のモデルに後付けするのに使用されるＷｉＦｉモジュール）を使用して、またはそれらの組み合わせを使用して、例えば、機器１２、２２、２４のプラットフォーム機能をアップグレードするのに適した技術も提供し得る。例えば、検査ソリューション提供者３０４は、機器１２、２２、２９における使用、実行、および／または表示に適したソフトウェアアプリケーションおよび他のコンテンツを作成し、そのコンテンツを、例えば、デジタルストア３２６に、または他の配信チャネルに配置してもよい。ＮＤＴ機器１２上のデジタルコンテンツの自動更新、ソフトウェアおよびハードウェア資産の管理、デジタルコンテンツ３２０のより効率のよい購入および収益分配、ならびにユーザプロファイルを維持するための改善された技術を含む他の技術も、ＮＤＴエコシステム３００といった、本明細書に記載される技術を使用して提供され得る。
【００６４】
アプリケーション／コンテンツ開発者３１４は、例えば、デジタル・コンテンツ・ビルダー・ソフトウェア３２５を使用して、ＮＤＴ機器１２が実行可能な、または表示可能なアプリケーションおよび他のデジタルコンテンツ３２０（例えば、ファームウェア、プラットフォームＡＰＩ、プラットフォーム支援ソフトウェア）を作成し得る。実際、アプリケーション開発者３１４の役割は、特定のＮＤＴ検査および／またはＮＤＴ機器１２のためのＮＤＴアプリケーションの構築を含み得る。ある実施形態では、ＮＤＴアプリケーションは、デジタル・コンテンツ・ビルダー３２５を用いて開発され得る。デジタルコンテンツ構築ソフトウェア３２５は、実行可能コンテンツ３２２および非実行可能コンテンツ３２４を作成する際に有用な、言語コンパイラ、インタープリタ、エミュレータ（例えば、ＮＤＴ機器１２エミュレータ）、デバッギング機能、グラフィカル・ユーザ・インターフェース（ＧＵＩ）・ビルダー、データベース接続ビルダーなどを含み得る。加えて、デジタルコンテンツ構築ソフトウェア３２５は、知識ベースシステム（例えば、エキスパートシステム、エキスパート推論システム、ファジー論理システム、ヒューリスティック推論システム）を含む、外部システム３２７へのタイインも含んでいてよく、知識ベースシステムは、デジタルコンテンツ３２０を開発する際に有用な、「予め準備された（ｃａｎｎｅｄ）」人間の熟練者の知識および経験を含み得る。
【００６５】
アプリケーション、訓練マニュアル、ユーザマニュアル、および他の関連付けられる文書を含むデジタルコンテンツ３２０が開発されると、アプリケーション開発者は、デジタルストア３２６による配信のためにデジタルコンテンツをアップロードし得る。図示の実施形態では、自動認証システム３２９が、デジタルコンテンツ３２０の信憑性をチェックし、デジタルコンテンツ３２０が、例えば、検査ソリューション提供者３０４によって発行されたパブリッシングガイドラインに適合することを保証し得る。加えて、デジタルコンテンツ３２０は、例えば、デジタル証明書の作成、第三者認証局との対話、デジタルコンテンツ３２０の暗号化、および、より一般的には、ＮＤＴエコシステム３００へのセキュアなアクセスの提供に適したセキュリティ／証明書システム３３１によっても処理され得る。
【００６６】
上述のように、すべてのエンティティ３０２、３０４、３０６、３０８、３１０、３１２、３１４はデジタルコンテンツ３２０を作成し得る。例えば、資産ＯＥＭ３１０または他の当事者は、ＮＤＴアプリケーションエコシステム３００を介して、検査マニュアル、検査手順、訓練マニュアル、訓練手順、マルチメディアコンテンツ、対話式コンピュータシミュレーション、ビデオ、ソフトウェアアプリケーションなどを発行することができる。実際、すべてのエンティティ３０２、３０４、３０６、３０８、３１０、３１２、３１４が、類似したデジタルコンテンツを作成し、発行し得る。したがって、資産所有者３０２および／または資産検査提供者３１２は、資産ＯＥＭ３１０、検査ソリューション提供者３０４、規制エンティティ３０６、および／または他のエンティティ３０８によって作成されたデジタルコンテンツ３２０を購入し、更新されたコンテンツ３２０を受け取るために、以下でより詳細に説明するように、更新されたコンテンツ３２０を「購読」し得る。資産検査提供者３１２は、資産検査の訓練コンテンツといったデジタルコンテンツ３２０を作成してもよく、デジタルストア３２６を介して検査サービスを販売してもよい。同じく、アプリケーション開発者３１４も、プロセス１５０またはプロセス１５０の各部分をサポートする、機器１２、２２、２９によって実行可能な様々なソフトウェアアプリケーションを販売し得る。各エンティティ３０２、３０４、３０６、３０８、３１０、３１２、３１４によって作成されたすべてのデジタルコンテンツ３２０は、デジタルコンテンツ３２０のより効率のよい更新、開発などを提供し、デジタル著作権管理（ｄｉｇｉｔａｌ  ｒｉｇｈｔｓ  ｍａｎａｇｅｍｅｎｔ（ＤＲＭ））を含む、コンテンツ３２０のライセンシングを管理するために、例えば、ライセンシング／資産管理システム３３３を使用して管理され得る。他のシステム３３６は、クラウドベースの記憶システム、スケーラブル処理システム、データ分析システム、データベース、仮想機械、ロードバランサなどといったクラウドコンピューティング２４を支援する際に有用なシステムを含み得る。
【００６７】
ＮＤＴ機器１２の付属品、ＮＤＴ機器１２のためのハードウェア・プラットフォーム・アップグレードなどといったハードウェアも、デジタルストア３２６を使用して購入され得る。ＮＤＴビジネスプラットフォームを提供することにより、ＮＤＴエコシステム３００は、各エンティティ３０２、３０４、３０６、３０８、３１０、３１２、３１４間の収益分配を可能とし得る。例えば、アプリケーション開発者３１４、資産ＯＥＭ３１０、および検査ソリューション提供者３０４は、収益分配ポリシーに参加し得る。加えて、ＮＤＴエコシステム３００に関連した貸方、借方、より一般的には、課金情報を管理するのに有用な課金管理システム３３４も設けられ得る。例えば、各エンティティ３０２、３０４、３０６、３０８、３１０、３１２、３１４、および他のユーザは、システム３３４によって管理される１または複数の店舗３２６アカウントを保持し得る。各エンティティ３０２、３０４、３０６、３０８、３１０、３１２、３１４、および他のユーザに関連した売上および仕入は、その場合、貸方または借方にしかるべく記入され得る。関連したやり方で、ライセンシング／資産管理システム３３３も、ＮＤＴ機器１２や、ＮＤＴ機器１２と関連付けられるデジタルコンテンツ３２０といった資産を管理する際に有用なエンティティ３０２、３０４、３０６、３０８、３１０、３１２、３１４のアカウントを保持し得る。例えば、デジタルコンテンツ３２０が検査提供者３１２によって購入されると、検査提供者３１２は、以下でより詳細に説明するように、ライセンシング／資産管理システム３３３にログインして、そのアカウントにリスト表示されたソフトウェア資産（例えばデジタルコンテンツ３２０）および相関関係を有するハードウェア資産（例えば検査されるべき設備、ＮＤＴ機器１２）を確認したり、ソフトウェア資産とハードウェア資産との間のリンクを作成したり、リンクを削除したりすることができる。したがって、ＮＤＴ機器１２、モバイル機器２２、およびコンピューティングシステム２９は、デジタルコンテンツ３２０の実行時ライセンシングを可能にするようにデジタルコンテンツ３２０と共にダウンロードされるライセンスを執行するのに使用され得るデジタル著作権管理（ＤＲＭ）構成要素を含み得る。
【００６８】
ＮＤＴ機器１２を使用する検査１５４の開始時に、ＮＤＴ機器１２は、その際、ＮＤＴエコシステム３００に接続することができ、すべての実行可能コンテンツ３２２（例えば、アプリケーション、構成ファイル、構成関連ファイル）が対応する非実行可能コンテンツ３２４（例えば、マニュアル、履歴検査結果、分析報告、訓練用マルチメディア）と共に自動的ダウンロードされ、機器１２は、検査１５４時にダウンロードされたコンテンツを使用するように構成され得る。例えば、機器１２は、特定の航空機１０４の機体番号を受け取り、またはスキャンすることができ、当該航空機１０４モデル、航空機１０４の構成要素（例えば、エンジン、機体）、特定の機体番号の履歴ログ、当該機体番号に関して行われた分析、整備日誌、（例えば、設備の操作および時間を記述した）操作ログなどに関連したすべてのデジタルコンテンツ３２０が、ＮＤＴ機器１２上へ自動的にダウンロードされて、ＮＤＴ機器１２を特定の機体番号の検査のために構成し得る。実際、通し番号、機体番号などによって識別される特定の設備を含む設備が、特定の設備の検査を対象とする、ＮＤＴ機器１２によって実行されるように構成された検査アプリケーションソフトウェアを含むデジタルコンテンツ３２０のカスタムパッケージをダウンロードするのに使用され得る。したがって、より効率的な、的を絞った検査が実現され得る。実際、ＮＤＴエコシステム３００を使用することにより、以下でより詳細に説明するように、例えば、より効率のよい仕入れ、ライセンス管理、ＮＤＴ機器１２の配備、および整備／更新を可能とするのに適した様々なプロセスが提供され得る。ＮＤＴエコシステム３００によって提供されるすべての機能は、ただ１つの構成要素に含まれていても、ＮＤＴエコシステム３００の構成要素のうちの１または複数に含まれていても、ＮＤＴエコシステム３００の構成要素の任意の組み合わせに含まれていてもよいことに留意すべきである。例えば、ある実施形態では、デジタルストア３２６は、ライセンシング／資産管理システム３３３、認証システム３２９、セキュリティ／証明書システム３３１、課金管理システム３３４、それらシステムの組み合わせ、または各システムによって提供される機能のいずれかを含み得る。
【００６９】
図９に、ＮＤＴエコシステム３００を使用して配信され得るデジタルコンテンツ３２０の実施形態を示す。図示の実施形態では、ライセンシング／資産管理システム３３３は、デジタルコンテンツ３２０の少なくとも２つの配信カテゴリ、すなわち、デジタルコンテンツ３２０のコピーが許可されない「コピーなし」カテゴリ３４０、およびデジタルコンテンツのコピーが完全に許可される「完全コピー」カテゴリ３４２をサポートし得る。同じく、ライセンシング／資産管理システム３３３は、デジタルコンテンツ３２０の少なくとも２つの編集カテゴリもサポートし得る。例えば、非著作者によるコンテンツの一部の編集が実施される（または編集が実施されない）「制限編集」カテゴリ３４４がサポートされ得る。非著作者によるコンテンツ３２０の完全編集が許可される場合には、「完全編集」カテゴリ３４６が使用され得る。したがって、デジタルコンテンツ３２０は、コピーなし、制限編集が実施される「第三者ロック」デジタルコンテンツ３４８、および完全コピーが許可されるが、制限編集しか許可されない「社内ロック」デジタルコンテンツ３５０を含み得る。同じく、完全編集が許可されるが、コピーが許可されない「第三者オープン」デジタルコンテンツ３５２、ならびに完全編集および完全コピーが許可される「社内オープン」デジタルコンテンツ３５４も提供され得る。ＤＲＭおよび他の技術が、各カテゴリ３４０、３４２、３４４、３４６を実施するために、ライセンシング／資産管理システム３３３によって使用され得る。コンテンツは、デジタルストア３２６を使用して、かつ／またはＮＤＴエコシステム３００内の他の配信チャネル（例えば、ＦＴＰ（ｆｉｌｅ  ｔｒａｎｓｆｅｒ  ｐｒｏｔｏｃｏｌ）サーバ、ウェブサーバ、クラウドベースの記憶ドライブ）によって配信され得る。コンテンツ３２０は、ＳＳＤ（ｓｏｌｉｄ  ｓｔａｔｅ  ｄｅｖｉｃｅ）、サムドライブ、ＮＤＴ計器とモバイル機器（またはラップトップ／ＰＣ）などとの間の有線コンジットといったメディアデバイスを用いて送信されてもよい。
【００７０】
したがって、顧客は、デジタルストア３２６および／またはその他の配信チャネルによって提供されるデジタルコンテンツ３２０を見つけるために、例えば、絞り込み検索、コンテキスト検索、自動検索候補表示（ｓｅａｒｃｈ−ａｓ−ｙｏｕ−ｔｙｐｅ）、ブール検索などを使用して、オンライン・デジタル・コンテンツを探索し得る。所望のコンテンツ３２０が見つかると、ユーザ（例えば、エンティティ３０２、３０４、３０６、３０８、３１０、３１２、３１４他）は、課金管理システム３３４によって管理される課金情報を用いて、デジタルストア３２６を使用してデジタルコンテンツの支払いをし得る。クレジットカード、デビットカード、発注書、クーポン、銀行振込み、オンライン決済（例えば、ＰａｙＰａｌ、ＢｉｔＣｏｉｎ）などを含む、複数の支払オプションがサポートされ得る。時間ベースのライセンス（例えば、１年に１回失効する年間ライセンス、永久ライセンス、月単位のライセンス、週単位のライセンス）、１回限りのライセンスまたは使用ごとのライセンス（デジタルコンテンツ３２０の１回の使用後に失効し、次の使用では更新され得る）、期日指定ライセンス（例えば、３０日間の試用ライセンス）、従量ライセンス（例えば、課金が使用時間による、かつ／または使用データ量による携帯電話プランに類似した）などを含む複数の種類のライセンスが、ライセンシング／資産管理システム３３３によってサポートされてよく、ＤＲＭが実施され得る。また、複数のユーザならびに／またはＮＤＴ機器１２、モバイル機器２２、およびコンピューティングシステム２９による使用に適した、同じデジタルコンテンツ３２０の複数の権利（ｓｅａｔ）も購入され得る。
【００７１】
顧客は、その場合、どちらも、図９に関連して上述したように（例えば、デジタルストア３２６を使用して）ＮＤＴエコシステム３００を介した配信のために、検査手順といった購入済みのコンテンツの一部を編集してもよく、新しいコンテンツを作成してもよい。ある場合には、顧客は、顧客によって選別されたユーザだけがデジタルコンテンツ３２０（およびハードウェアまたはサービス）を買うことができる専用店舗３３０を作成し得る。他の場合には、一般用店舗３２８が使用され、または作成されてよく、一般用店舗３２８では、デジタルコンテンツ（およびハードウェアまたはサービス）は、一般向けに販売され得る。他の店舗３３２が、例えば、輸出統制された財貨およびサービスといった、制限された財貨およびサービスを販売するために使用されてもよい。
【００７２】
顧客の資産（例えば、コンテンツ３２０のようなソフトウェア資産やＮＤＴ機器１２のような関連付けられるハードウェア）のアカウントは、ライセンシング／資産管理システム３３３を使用して提供され得る。所与の１つのアカウントについて複数の機器１２、２２、および／または２９が管理され得る。以下でより詳細に説明するように、機器１２、２２、および／または２９を購入済みデジタルコンテンツ３２０と同期させるのに適するワンボタン同期／配備が提供され得る。したがって、機器１２、２２、および／または２９は、地理的領域を横断して、複数の言語で配信されるコンテンツを含めて、ＮＤＴコンテンツ３２０に関して最新に保持され得る。
【００７３】
次に図１０を見ると、図１０は、デジタルストア３２６を使用して財貨およびサービスを購入するのに適するプロセス４００の実施形態を示す流れ図である。プロセス４００は、メモリ３１６に記憶され、プロセッサ３１８によって実行されるコンピュータ実行可能命令を使用して実装され得る。図示の実施形態では、ユーザ（例えば、３０２、３０４、３０６、３０８、３１０、３１２、および／または３１４）は、ＮＤＴの財貨およびサービス（例えばデジタルコンテンツ３２０）を探索し（ブロック４０２）、探索に基づいて製品詳細ページ４０３へ誘導され得る。探索（ブロック４０２）は、ＮＤＴ機器１２、モバイル機器２２，コンピューティングシステム２９、またはそれらの組み合わせを使用して行われ得る。ユーザは、次いで、オンラインのショッピングカートに製品を追加し得る（ブロック４０６）。プロセス４００は、次いで、ユーザがログインしているかどうか判定し得る（判断４０８）。ユーザがログインしていない場合、ユーザは次いで、ログインし得る（ブロック４１０）。ユーザは、次いで、アカウントを作成する（ブロック４１２）。ユーザがログインすると、支払方法が決定され得る（判断４１４）。支払方法が発注書４１６である場合、ユーザは、次いで、発注書（ｐｕｒｃｈａｓｅ  ｏｒｄｅｒ（ＰＯ））情報を入力し（ブロック４１８）、プロセス４００は、次いで、領収書を示し（ブロック４２０）、続いて、デジタルストア３２６を使用したデジタルコンテンツ３２０のダウンロードを可能にし（ブロック４２２）、アカウント情報を含むアプリケーションコンテンツ情報を「マイアプリ（Ｍｙ  Ａｐｐｓ）」システムに追加し得る（ブロック４２４）。ライセンス購入も、同様に、「マイウォレット（Ｍｙ  Ｗａｌｌｅｔ）」システムに追加され得る。「マイアプリ」や「マイウォレット」といったシステムは組み合わせて１つのシステムにし、ＮＤＴエコシステム３００の任意の１つの構成要素（例えばデジタルストア３２６）または構成要素の組み合わせによって提供することができることを理解すべきである。
【００７４】
支払方法が、クーポン４２６を含むと判定された場合（判断４１４）、プロセス４００は、次いで、購入確認を要求する（ブロック４２８）。確認されると、領収書が示され（ブロック４２０）、ダウンロード（ブロック４２２）および／または「マイアプリ」への更新（ブロック４２４）が提供され得る。支払方法が、クレジットカード４２９を含むと判定された場合（判断４１４）、プロセス４００は、クレジットカード４２９情報が保存されているかどうか判定し得る（判断４３０）。情報が保存されている場合、プロセス４００は、次いで、住所、有効期限などといった情報の検証を可能にし（ブロック４３２）、次いで、購入確認を要求し得る（ブロック４３４）。カード情報が受け入れられた場合（判断４３６）、領収書が示され（ブロック４２０）、ダウンロード（ブロック４２２）および／または「マイアプリ」への更新（ブロック４２４）が提供され得る。カードが受け入れられない場合（判断４３６）、プロセス４００は判断４１４へ戻って反復し、支払方法を尋ねることができる。
【００７５】
カード情報が保存されていない場合（判断４３０）、ユーザは、請求先住所、名前、日付、セキュリティナンバーなどといったクレジットカード情報を入力し得る（ブロック４３８）。プロセス４００は、次いで、購入確認を要求し得る（ブロック４４０）。残額があると判定された場合（判断４４２）、プロセス４００は、判断４１４へ戻って支払方法を尋ねることができる。残額がない場合、プロセス４００は領収書を示し（ブロック４２０）、ダウンロード（ブロック４２２）および／または「マイアプリ」への更新（ブロック４２４）が提供され得る。したがって、様々な支払方法が、オンラインストア３２６におけるデジタルコンテンツ３２０を含む財貨およびサービスの購入に使用され得る。
【００７６】
図１１は、ライセンシング／資産管理システム３３３を使用してライセンスを割り当て、かつ／または取り消すのに適するプロセス４５０の実施形態を示す流れ図である。プロセス４５０は、メモリ３１６に記憶され、プロセッサ３１８によって実行されるコンピュータ実行可能命令を使用して実装され得る。図示の実施形態では、ユーザは、「マイウォレット」システム４５２にログインし得る。システム４５２は、ＮＤＴ機器１２、モバイル機器２２、および／またはコンピューティングシステム２９において、ある特定のデジタルコンテンツ３２０を使用するライセンスといった購入済みライセンスを含み得る。ユーザ（例えば、３０２、３０４、３０６、３０８、３１０、３１２、３１４）は、システム４５２を使用して、例えば、所望のＮＤＴ機器１２、モバイル機器２２、コンピューティングシステム２９に、かつ／またはユーザ一般にライセンスを割り当てることができる（ブロック４５４）。しかし、ライセンスが利用できないと判定された場合（判断４５６）、プロセス４５０はエラーメッセージを発行し得る（ブロック４５８）。ライセンスは利用できる（判断４５６）が、重複したライセンスがあると判定された場合（判断４６０）、プロセス４５０はエラーメッセージを発行し得る（ブロック４５８）。
【００７７】
重複が存在しないと判定された場合（判断４６０）、プロセス４５０は、機器１２、２２、および／または２９のオブジェクトを更新し（ブロック４６２）、ユーザライセンスのカウントを減分し得る。オブジェクトは、コンテンツ３２０を対応する機器１２、２２、および／または２９と同期させるのに使用され得る、物理的機器１２、２２、および／または２９の仮想表現またはオンライン表現とすることができる。プロセス４５０は、次いで、例えば、電子メールによって、ライセンスの割り振りの確認を発行し得る（ブロック４６４）。
【００７８】
物理的機器１２、２２、および／または２９に割り振られているライセンスを取り消す（ブロック４６６）には、プロセス４５０は、例えば、ユーザ入力によって、例えば、「マイウォレット」システム４５２によって保持される機器のリストの中から機器を選択し得る（ブロック４６８）。プロセス４５０は、次いで、図１２でより詳細に述べるように、更新（例えばライセンスの取り消し）が次の同期で行われ得ることをユーザに通知し得る（ブロック４７０）。同期（ブロック４７３）が行われている間には遅延が生じ得る（ブロック４７２）。同期（ブロック４７３）後、プロセス４５０は、物理的機器１２、２２、および／または２９と関連付けられたオブジェクトを更新し（ブロック４７４）、ライセンスカウントを増分し、次いで、例えば、電子メールによって、ライセンスの取り消しの確認を発行し得る（ブロック４７６）。したがって、ライセンスは、機器１２、２２、および／または２９のいずれに対しても割り当てられ、または割り当て解除され得る。ライセンスは、実行権、使用権、表示権、またはそれらの組み合わせを管理するのに使用され得る。例えば、実行権は、機器１２、２２、２９において、またはクラウド２４においてコンテンツを実行する権利を含み得る。使用権は、著作権によって提供される権利（例えば、コンテンツ３２０をコピーし、コンテンツ３２０の二次的著作物を作成する権利）、コンテンツ３２０を出版し、コンテンツ３２０を販売し、コンテンツ３２０をホストするコンピューティングシステムにアクセスし、コンテンツ３２０を分解模倣する権利、コンテンツ３２０のアクセス制御に基づく権利（例えばＤＲＭ権限）などを含み得る。ライセンシングは、クラウド２４に、かつ／または機器１２、２２、２９に記憶されたライセンスを含み得る。クラウド２４に記憶されている場合、機器１２、２２、２９は、例えば、任意のコンテンツ３２０を実行し、使用し、かつ／または表示する際の制限の有無についてクラウドベースのライセンスをチェックし得る。
【００７９】
図１２は、機器１２、２２、および／または２９を、例えば、購入され、ライセンスされたデジタルコンテンツ３２０と同期させるのに適したプロセス４８０の実施形態を示す流れ図である。プロセス４８０は、メモリ３１６に記憶され、プロセッサ３１８によって実行されるコンピュータ実行可能命令を使用して実装され得る。図示の実施形態では、ユーザは、機器メニュー４８２とインターフェースして、「同期」アクティビティを選択し得る（ブロック４８４）。同期アクティビティは、例えば、デジタルコンテンツ３２０が変更されたことを導出し次第、またはデジタルコンテンツ３２０の変更（例えば、追加、更新、削除）の通知を受信し次第、自動的に実行されてもよい。また同期（ブロック４８４）は、機器１２、２２、２９のいずれかの始動時に、または反復して（例えば、１時間に１回、１日に１回、１週間に１回、１月に１回、１年に１回）行うべきスケジュールに基づいて行われてもよい。また、マネージャまたは他の人間もしくはソフトウェアエンティティが、例えば、求められるときに、またはデジタルコンテンツへの変更の通知を受信し次第（例えば、電子メールを受信し次第）、リモートで同期アクティビティ（ブロック４８４）を開始してもよい。加えて、通知は、機器１２、２２、２９へ送信されてもよく、機器１２、２２、２９は、その通知を、例えば、同期（ブロック４８４）の開始をアクティブ化するためのボタン、メニュー項目、またはコントロールと一緒に表示し得る。プロセス４８０は、次いで、機器１２、２２、および／または２９が、例えば、以下で図１３に関連してより詳細に説明する機器データベースにおいて見つかるかどうか判定し得る（ブロック４８６）。機器が機器データベースに含まれないと判定された場合（判断４８６）、プロセス４８０は、エラーメッセージを発行し（ブロック４８８）、終了し得る。機器が機器データベースに含まれると判定された場合（判断４８６）、プロセス４８０は、次いで、機器１２、２２、および／または２９に、購入され、ライセンスされたコンテンツ３２０を機器１２、２２、および／または２９にダウンロードするのに十分なメモリ容量があるかどうか判定し得る（ブロック４９０）。また、コンテンツの同期のための決定要因（ブロック４９０）は、ＮＤＴ計器ファームウェア／ＯＳソフトウェアおよび所望のデジタルコンテンツ３２０との互換性も含み得る。例えば、ある特定のデジタルコンテンツ３２０および当該コンテンツ内の機能は、ある特定のＮＤＴ計器のハードウェア／ソフトウェアプラットフォームおよび／またはファームウェア／ＯＳソフトウェアバージョンでのみ実行され得る。十分な容量がない、またはＮＤＴ機器１２が所望のコンテンツ３２０と互換性を有しないと判定された場合（判断４９０）、プロセス４８０は、次いで、メモリに適合し得る、かつ／またはＮＤＴ機器１２と互換性を有する実行可能３２２アプリケーションといった、デジタルコンテンツ３２０の一部の選択（ブロック４９２）を可能にし得る。
【００８０】
十分な容量があると判定された場合（判断４９０）、プロセス４８０は、次いで、ファームウェアを含み得る選択されたコンテンツ３２０を増分的に同期させて（ブロック４９４）、機器のメモリに入れることができる。例えば、メモリは、コンテンツ３２０を追加するために、増分的に「フラッシュ」され得る。コンテンツ３２０が追加されると、プロセス４８０は、次いで、コンテンツ３２０の同期を指示する状況メッセージを表示し得る（ブロック４９６）。より効率のよいＮＤＴベースの同期プロセス４８０を可能にすることにより、本明細書に記載される技術は、各エンティティおよび地域を横断してより容易に配信される様々なコンテンツ３２０を提供し得る。
【００８１】
次に図１３を見ると、図１３は、ＮＤＴエコシステム３００に、ＮＤＴ機器１２、モバイル機器２２、および／またはコンピューティングシステム２９といった機器を追加するのに適したプロセス５００の実施形態を示す流れ図である。例えば、ユーザ（例えば、３０２、３０４、３０６、３０８、３１０、３１２、３１４）は、ライセンシング／資産管理システム３３３にログインし、「マイインスツルメント（Ｍｙ  Ｉｎｓｔｒｕｍｅｎｔｓ）」システム５０２を使用して機器を追加し得る（ブロック５０４）。図示の実施形態では、機器は、機器１２、２２、および／または２９自体の機器割り当て（例えば、ボタン、メニュー項目）をアクティブ化し、またはクリックする（ブロック５０６）ことによって追加されてよく、機器１２、２２、および／または２９は、次いで、システム５０２と通信し得る。機器１２、２２、および／もしくは２９上で、または別の機器において、例えば、システム５０２によって送信されたアクティブ化パスキーが受信され得る（ブロック５０８）。ユーザは、次いで、通し番号およびアクティブ化キー、または例えば、ストア３２６によって保持される機器のリストに追加されるべき機器を識別する際に使用される他の識別情報を、画面（例えば「マイインスツルメント」画面）に入力する（ブロック５１０）。情報は有効性をチェックされ（判断５１２）、有効でない場合、プロセス５００は、エラーメッセージを発行し得る（ブロック５１４）。情報が有効であると判定された場合（判断５１２）、プロセス５００は、機器を、例えば、ユーザのアカウントにリンクされた機器データベースに追加し、実行を完了し得る（ブロック５１６）。別の実施形態では、機器１２、２２、２９に埋め込まれ、または機器に追加された情報が、機器を自動認証するのに使用され得る。したがって、プロセス５００は、ＮＤＴエコシステム３００への参加について、各機器１２、２２、および／または２９により効率よく権限を与え、あるいは各機器１２、２２、および／または２９を追加することができる。
【００８２】
本発明の技術的効果は、それだけに限らないが、資産所有者、検査ソリューション提供者、規制エンティティ、資産ＯＥＭ、資産検査提供者、およびアプリケーション開発者を含む当事者間の協働性を高める際に有用なＮＤＴエコシステムの提供を含む。
【００８３】
この書面による説明は、例を使用して、最良の態様を含めて、本発明を開示すると共に、当業者が、任意の機器もしくはシステムの作成および使用、ならびに任意の組み込まれた方法の実行を含めて、本発明を実施することも可能にするものである。本発明の特許可能な範囲は、特許請求の範囲によって定義され、当業者に想起される他の例を含み得るものである。そうした他の例は、そうした他の例が特許請求の範囲の文言と異ならない構成要素を有する場合には、または、そうした他の例が、特許請求の範囲の文言と実質的に異ならない均等な構成要素を含む場合には、特許請求の範囲内に含まれるべきである。
【符号の説明】
【００８４】
１０  分散型ＮＤＴシステム
１２  ＮＤＴ検査機器、ＮＤＴ機器
１４  ボアスコープ
１５  プロセッサ
１６  ＰＴＺカメラ
１７  メモリ
１８  ターボ機械
１９  プロセッサ
２０  施設またはサイト
２１  メモリ
２２  モバイル機器
２３  プロセッサ
２４  クラウド、クラウドコンピューティング、クラウド・コンピューティング・サービス
２５  メモリ
２６  ボアスコープ操作者
２８  モバイル機器操作者
２９  コンピューティングシステム
３０  カメラ操作者
３２  燃料ノズル
３４  圧縮機
３６  燃焼器
３８  吸気部、吸気口
４０  段
４２  段
４４  段
４６  静翼
４８  動翼
５０  ホイール
５２  シャフト
５４  タービン
５６  ディフューザ、ディフューザ部
６０  段
６２  段
６４  段
６６  タービン動翼またはバケット
６８  ロータホイール
７０  ロータホイール
７２  ロータホイール
７４  シャフト
７６  ケーシング
８０  排気部
８４  設備
８６  パイプまたはコンジットの内部、パイプまたはコンジットの内側
８８  水中の位置
９０  湾曲部または屈曲部
９２  渦電流検査機器
９３  プロセッサ
９４  超音波探傷器
９５  メモリ
９６  デジタルＸ線撮影機器、デジタルＸ線撮影検査機器
９７  プロセッサ
９８  渦電流操作者
９９  メモリ
１００  超音波機器操作者
１０１  プロセッサ
１０２  Ｘ線撮影操作者
１０３  メモリ
１０４  航空機システム、航空機
１０６  施設
１０８  パイプ
１１０  亀裂または割れ目
１１２  鉄系材料または非鉄系材料
１１４  部品
１１６  構成要素
１１８  挿入管
１２０  先頭部
１２２  屈曲部
１２４  コンジット部
１２６  ボアスコープカメラ、振動センサ
１２８  ライト
１３０  センサ
１３１  物理的ジョイスティック
１３３  Ｘ軸Ｙ軸Ｚ軸
１３４  ビデオ
１３５  画面
１３６  シャドウプローブ測定チップ、ボアスコープ１４チップ、交換用チップ、プローブチップ、ステレオプローブ測定チップ
１３７  画面
１３８  ライト
１４０  センサ
１４２  シャフト
１５０  プロセス
１５２  計画
１５４  検査
１５６  分析
１５８  報告
１５９  報告
１６０  共有
１６２  無線コンジット
１６４  許可データ
１６６  画面スクラップデータ
１６８  オーバーレイデータ、オーバーレイストリーム、データストリーム、オーバーレイ
１７０  画像またはビデオ、フレームまたは画像、データストリーム、画像データ、画像またはビデオデータ
１７２  同期信号、同期データ
１７４  センサデータ
１７６  力フィードバックデータ、触覚フィードバックデータ
１７８  位置データ
１８０  対象物データ
１８２  他のデータ
２００  無線コンジット
２０２  許可データ
２０４  位置制御データ
２０６  微調整データ
２０８  画像、ビデオ、テキスト、および／またはオーディオデータ
２１０  構成データ
２１２  力フィードバックデータ
２１４  他のデータ
３００  ＮＤＴエコシステム、ＮＤＴアプリケーションエコシステム
３０２  資産所有者
３０４  検査ソリューション提供者／設備製造者
３０６  規制エンティティ
３０８  他のエンティティ
３１０  資産ＯＥＭ
３１２  資産検査提供者
３１４  アプリケーション開発者、アプリケーション／コンテンツ開発者
３１６  メモリ
３１８  プロセッサ
３２０  コンテンツ
３２２  実行可能コンテンツ、実行可能
３２４  非実行可能コンテンツ
３２５  デジタル・コンテンツ・ビルダー、デジタル・コンテンツ・ビルダー・ソフトウェア、デジタルコンテンツ構築ソフトウェア
３２６  デジタル・コンテンツ・ストア、店舗
３２７  外部システム
３２８  一般用店舗
３２９  認証システム
３３０  専用店舗
３３１  セキュリティ／証明書システム
３３２  他の店舗
３３３  ライセンシング／資産管理システム
３３４  課金管理システム
３３６  他のシステム
３４０  「コピーなし」カテゴリ
３４２  「完全コピー」カテゴリ
３４４  「制限編集」カテゴリ
３４６  「完全編集」カテゴリ
３４８  「第三者ロック」デジタルコンテンツ
３５０  「社内ロック」デジタルコンテンツ
３５２  「第三者オープン」デジタルコンテンツ
３５４  「社内オープン」デジタルコンテンツ
【図１】
0006329564.tif 000002
【図２】
0006329564.tif 000003
【図３】
0006329564.tif 000004
【図４】
0006329564.tif 000005
【図５】
0006329564.tif 000006
【図６】
0006329564.tif 000007
【図７】
0006329564.tif 000008
【図８】
0006329564.tif 000009
【図９】
0006329564.tif 000010
【図１０】
0006329564.tif 000011
【図１１】
0006329564.tif 000012
【図１２】
0006329564.tif 000013
【図１３】
0006329564.tif 000014